(57)【特許請求の範囲】
【請求項１】
フェムトセルを含む無線通信システムの移動局（ＭＳ）で位置更新を行う方法であって、
前記方法は、
前記ＭＳが留まっている第１フェムトセル基地局（ＢＳ）のページンググループ識別子（ＩＤ）及び前記第１フェムトセルＢＳを含むマクロＢＳのページンググループＩＤを含む登録解除命令（ＤＲＥＧ−ＣＭＤ）メッセージを受信することと、
前記ＭＳが、前記第１フェムトセルの領域から、前記第１フェムトセルのページンググループＩＤと異なるページンググループＩＤを有する第２フェムトセルの領域へ移動する間に、位置更新遅延タイマーを始動することであって、前記第２フェムトセルの領域は、前記マクロＢＳの領域内に含まれる、ことと、
前記位置更新遅延タイマーが満了したときに、前記マクロＢＳへと位置更新を行うことと
を含む、方法。
【請求項２】
前記移動局は、前記位置更新遅延タイマーが満了する前にタイマーベースの位置更新のための位置更新タイマーが満了すると、前記位置更新を行う、請求項１に記載の方法。
【請求項３】
前記移動局は、前記位置更新遅延タイマーが満了する前に、前記ＭＳが前記第１フェムトセルの領域に復帰すると、前記位置更新遅延タイマーを解除する、請求項１に記載の方法。
【請求項４】
前記移動局は、前記位置更新遅延タイマーが満了する前に、前記ＭＳが前記マクロＢＳのページンググループの領域を離れると、前記位置更新を行う、請求項１に記載の方法。
【請求項５】
フェムトセルを含む無線通信システムの移動局（ＭＳ）で位置更新を行う方法であって、
前記方法は、
前記ＭＳが留まっている第１フェムトセル基地局（ＢＳ）のページンググループ識別子（ＩＤ）を含む登録解除命令（ＤＲＥＧ−ＣＭＤ）メッセージを受信することと、
前記ＭＳが前記第１フェムトセルの領域から第２フェムトセルの領域へ移動する間に、位置更新遅延タイマーを始動することと、
前記位置更新遅延タイマーが満了したときに、前記第２フェムトセルへと位置更新を行うことと
を含み、
前記第１フェムトセルのページンググループＩＤと前記第２フェムトセルのページンググループＩＤとは同一であり、前記第１フェムトセルの閉加入者グループ（ＣＳＧ）と前記第２フェムトセルのＣＳＧとは異なる、方法。
【請求項６】
前記第２フェムトセルＢＳから、前記第２フェムトセルの閉加入者グループ（ＣＳＧ）ＩＤを含むページング広告（ＭＯＢ＿ＰＡＧ−ＡＤＶ）メッセージを受信することをさらに含む、請求項５に記載の方法。
【請求項７】
前記移動局は、前記位置更新遅延タイマーが満了する前に、タイマーベースの位置更新のための位置更新タイマーが満了すると、前記位置更新を行う、請求項５に記載の方法。
【請求項８】
前記移動局は、前記位置更新遅延タイマーが満了する前に、前記ＭＳが前記第１フェムトセルの領域に復帰すると、前記位置更新遅延タイマーを解除する、請求項５に記載の方法。
【請求項９】
フェムトセルを含む無線通信システムの移動局（ＭＳ）で位置更新を行う方法であって、
前記方法は、
前記ＭＳが留まっている第１フェムトセル基地局（ＢＳ）のページンググループ識別子（ＩＤ）及び前記第１フェムトセルＢＳを含むマクロＢＳのページンググループＩＤを含む登録解除命令（ＤＲＥＧ−ＣＭＤ）メッセージを受信することと、
前記ＭＳが前記第１フェムトセルの領域から前記マクロＢＳの領域へ移動する間に、位置更新遅延タイマーを始動することと、
前記位置更新遅延タイマーが満了したときに、前記第２フェムトセルへと位置更新を行うことと
を含む、方法。
【請求項１０】
前記移動局は、前記位置更新遅延タイマーが満了する前に、前記ＭＳが前記マクロＢＳの領域を離れると、直ちに前記位置更新を行う、請求項９に記載の方法。
【請求項１１】
前記第１フェムトセルＢＳのページンググループＩＤと前記マクロＢＳのページンググループＩＤとが同一である、請求項９に記載の方法。
【発明の詳細な説明】
【技術分野】
【０００１】
本発明は、無線通信システムに係り、特に、フェムトセルを含む無線通信システムにおける位置更新方法に関するものである。
【背景技術】
【０００２】
まず、本発明の一実施例に係る移動端末の遊休モード及びページンググループについて説明する。
【０００３】
広帯域無線接続システムでは、移動端末の電力消耗を最小化するために、遊休モード（ｉｄｌｅ  ｍｏｄｅ）を支援する。遊休モードとは、移動端末が多重基地局で構成された無線リンク環境を移動する時、移動端末を特定の基地局に登録しなくてもダウンリンクブロードキャストトラフィックメッセージを周期的に受信できる状態のことをいう。
【０００４】
遊休モードにおいて、移動端末は、同一のページング領域に含まれる基地局の間を移動する際に、ハンドオフ手順を行う必要がない。したがって、移動端末は、ハンドオフ手順のためのアップリンク情報を伝送する必要がないため、電力消耗を低減することができる。
【０００５】
移動端末は、一定時間において基地局からトラフィックを受信しない場合、電力を節約するために遊休モードに遷移することができる。遊休モードにおいて、移動端末は、利用可能な区間において基地局から放送メッセージ（例えば、ページングメッセージ）を受信し、正規モード（ｎｏｒｍａｌ  ｍｏｄｅ）に遷移するか、または、遊休モードに留まるかを判断することができる。また、遊休モードにおいて、移動端末は、位置更新を行うことによって、ページング制御機に自身の位置を知らせることができる。
【０００６】
遊休モードは、ハンドオーバーに対する活性要求及び一般的な運営要求を除去することによって、移動端末に良い結果をもたらすことができる。遊休モードは、移動端末の活動を離散周期においてスキャニングするように制限し、よって、移動端末は電力及び運用リソースを節約することができる。
【０００７】
また、遊休モードは、移動端末にペンディング（ｐｅｎｄｉｎｇ）中であるダウンリンクトラフィックに対して、移動端末が知らせうる簡単で適切な方式を提供し、非活動的な移動端末から無線インターフェース及びネットワークハンドオーバー（ＨａｎｄＯｖｅｒ、ＨＯ）トラフィックを除去することによって、網及び基地局に良い結果をもたらすことができる。
【０００８】
ページングとは、移動通信において着信呼の発生時に、該当する移動端末の位置（例えば、移動機器がいかなる基地局または交換局に属しているか）を把握する機能のことを意味する。遊休モードを支援する多数の基地局は、特定ページンググループに所属してページング領域を構成することができる。
【０００９】
ここで、ページンググループは論理的なグループを表す。ページンググループの目的は、移動端末をターゲットとするトラフィックがある場合、ダウンリンク（ＤｏｗｎＬｉｎｋ、ＤＬ）でページされうる隣接範囲領域を提供することにある。ページンググループは、特定端末が同一のページンググループ内で大部分の時間を留まるできる程度に十分に大きく、ページング負荷が適正なレベルを維持するように十分に小さくなければならないという条件を満たすことが望ましい。
【００１０】
図１は、多数の基地局からなるページンググループの一例を示す図である。
【００１１】
図１は、６角形格子に位置している多重基地局上で定義された４個のページンググループを示す。一つの基地局は、一つまたはそれ以上のページンググループに含まれることができる。
【００１２】
ページンググループは、管理システムで定義する。ページンググループでは、ページンググループ−実行バックボーンメッセージを使用することができる。ページング制御機は、バックボーン網メッセージ（ページング公知メッセージ）を用いて遊休モード中の移動端末のリストを管理し、ページンググループに属する全ての基地局に対する移動端末のページングを開始することができる。
【００１３】
ページンググループは、一つ以上の基地局を含むことができ、一つの基地局は、一つまたはそれ以上のページンググループに含まれることができる。ページンググループは、管理システムで定義できる。ページンググループは、ページンググループ−実行バックボーン網メッセージを使用することができる。また、ページング制御機は、他のバックボーンメッセージ（ページング公知メッセージ）を用いて遊休モード中の移動端末のリストを管理し、ページンググループに属する全ての基地局に対する移動端末のページングを開始することができる。
【００１４】
移動端末が基地局に遊休モードへの切替を要請すると、基地局は、自身のページンググループＩＤを移動端末に伝達することによって、移動端末を遊休モードに切り替えることができる。
【００１５】
次に、従来技術に係るページング手順及び位置更新方法について説明する。
【００１６】
移動端末が遊休モードにある間に、ページング制御機が移動端末に対する着信呼またはパケットを受信すると、ページング制御機は、ページンググループ内の全ての基地局にページングメッセージを伝送し、ページングメッセージを受信した基地局は、自身の管理する移動端末にページング広告メッセージをブロードキャストする。移動端末は、利用可能な区間において基地局が伝送するページング広告メッセージを受信し、正規モードに遷移するか、遊休モードに留まるかを判断する。すなわち、ページング制御機が移動端末をページングした場合、移動端末は正規モードに進入してサービング基地局と通信することができる。
【００１７】
位置更新条件を満たす場合、遊休モードにある移動端末は、位置を更新する。位置更新条件には、ページンググループ位置更新、タイマーベースの位置更新、及びパワーダウン位置更新などがある。
【００１８】
ページンググループ位置更新条件は、次の通りである。移動端末が、属していたページンググループの領域を離れて別のページンググループの領域に入った場合、移動端末は位置更新を行う。ページンググループ位置更新条件とは、位置更新タイマーが満了する時に、移動端末が位置更新を行うことを意味する。パワーダウン位置更新とは、移動端末が電源をオフする前に位置更新を行うことを意味する。
【００１９】
すなわち、移動端末が一つのページンググループから他のページンググループへ移動する場合、移動端末は、位置更新をするために、ターゲット基地局にレンジング要請（ＲＮＧ−ＲＥＱ）メッセージを伝送する。レンジング要請メッセージを受信したターゲット基地局は、レンジング応答（ＲＮＧ−ＲＳＰ）メッセージを移動端末に伝送する。この時、ターゲット基地局は、レンジング応答メッセージにページンググループ識別子（ＰＧ＿ＩＤ）を含める。そして、ターゲット基地局はページング制御機に移動端末の新しい位置を知らせる。
【００２０】
近年、マクロセルが支援できない室内または陰影地域を支援するためのフェムトセル（Ｆｅｍｔｏ  ｃｅｌｌ）基地局に関する技術が定義されている。フェムトセルとは、家庭及び／または小さいオフィス環境で使用するためにデザインされた屋内基地局により管理される低電力・小型のセル領域のことを意味する。フェムトセルは、ピコセル（ｐｉｃｏ  ｃｅｌｌ）と略同様の意味として使われるが、ピコセルのより進化した機能を持つ意味として使われている。フェムトセル基地局は、広帯域ルータに連結する小型のセルラー基地局で、既存の２世代（２Ｇ）システムはもちろん、３世代（３Ｇ）システムの音声及びデータを、デジタル加入者回線（ｄｉｇｉｔａｌ  ｓｕｂｓｃｒｉｂｅｒ  ｌｉｎｅ、ＤＳＬ）リンクなどを通じて移動通信社のバックボーン網に連結することができる。
【００２１】
フェムトセル基地局は、マクロ基地局がカバーできない室内または陰影地域をカバーでき、高いデータ伝送率を支援することができる。フェムトセル基地局は、マクロセル内にオーバーレイ形態で設置されることもでき、マクロ基地局のカバーしない地域に非オーバーレイ形態で設置されることもできる。
【００２２】
フェムトセル基地局は、２タイプに分類される。一つのタイプは、閉加入者グループ（ｃｌｏｓｅｄ  ｓｕｂｓｃｒｉｂｅｒ  ｇｒｏｕｐ、ＣＳＧ）フェムトセル基地局であり、もう一つのタイプは、ＯＳＧ（ｏｐｅｎ  ｓｕｂｓｃｒｉｂｅｒ  ｇｒｏｕｐ）フェムトセル基地局である。ＣＳＧフェムトセル基地局は、自身に接近可能な移動端末をグルーピングして、ＣＳＧ識別子（ＩＤ）を与え、ＣＳＧ  ＩＤの与えられた移動端末のみが接続できる基地局である。ＯＳＧフェムトセル基地局は、あらゆる端末が接続できる基地局である。
【００２３】
ＣＳＧ基地局の運用モードには、オープン接続モード（ｏｐｅｎ  ａｃｃｅｓｓ  ｍｏｄｅ）、閉接続モード（ｃｌｏｓｅｄ  ａｃｃｅｓｓ  ｍｏｄｅ）及びハイブリッド接続モード（ｈｙｂｒｉｄ  ａｃｃｅｓｓ  ｍｏｄｅ）がある。
【００２４】
オープン接続モードにあるフェムトセル基地局は、全てのユーザ（例えば、全ての端末）が接続可能であり、移動端末は、フェムトセル基地局から受信したＣＳＧ  ＩＤと移動端末のユーザＣＳＧリスト（Ｕｓｅｒ  ＣＳＧ  ｌｉｓｔ）とを比較せず、フェムトセル基地局へと初期進入を行う。ユーザＣＳＧリストは、移動端末が接続できるフェムトセルのＣＳＧ  ＩＤリストで、移動端末は、ユーザＣＳＧリスト（または、ＣＳＧ  ＩＤリスト）を管理することができる。
【００２５】
閉接続モードにあるフェムトセル基地局は、特定ユーザ（または、特定移動端末）のみが接続できる基地局で、移動端末は、フェムトセル基地局から受信したＣＳＧ  ＩＤと移動端末のユーザＣＳＧリストとを比較して、受信したＣＳＧ  ＩＤが移動端末のユーザＣＳＧリストにある場合に限って、フェムトセル基地局に初期進入を行う。ハイブリッド接続モードは、オープン接続モード、閉接続モードのいずれでも運用可能なモードである。
【００２６】
このようなフェムトセルのメリットについて説明すると、下記の通りである。
【００２７】
近年、フェムトセルが３Ｇ普及を促し、屋内カバレッジを広げる起曝剤になりうるとの調査報告書が発表されて注目されている。２０１２年には全世界のフェムトセル基地局ユーザは約１億２００万名に増え、基地局であるＡＰ（Ａｃｃｅｓｓ  Ｐｏｉｎｔ）の設置も６，２００万個に達する見込みである。フェムトセルは、セルカバレッジを強化でき、音声サービスの品質（Ｑｕａｌｉｔｙ）を高めることができる。また、移動通信社は、フェムトセルを介した様々なデータサービスを提供することによって、加入者が３Ｇ技術に容易に慣れるようにすると予想される。
【００２８】
すなわち、フェムトセルを用いた通信システムは、セルカバレッジを増加でき、従来の基地局と比較して低コストでインフラ構築が可能であり、ＦＭＣ（Ｆｉｘｅｄ  Ｍｏｂｉｌｅ  Ｃｏｎｖｅｒｇｅｎｃｅ）を加速化することができる。
【００２９】
一つ以上のフェムトセル基地局は、特定サービス別または地域別にグルーピングされて、フェムトセルグループを構成することができる。例えば、特定移動端末にのみ接続を許諾したフェムトセルグループを、閉加入者グループ（ＣＳＧ）と呼ぶことができる。フェムトセル基地局（ＦＢＳ）は、移動端末のＣＳＧ識別子（ＣＳＧ  ＩＤ）を確認し、ＣＳＧに加入した移動端末にのみ接続を許諾することができる。
【００３０】
図２は、オーバーレイネットワークにおけるフェムトセル配置構造の一例を示す図である。
【００３１】
図２を参照すると、フェムトセル基地局のバックボーン網は、有線で連結されたＩＳＰ（Ｉｎｔｅｒｎｅｔ  Ｓｅｒｖｉｃｅ  Ｐｒｏｖｉｄｅｒ）網に直接連結されており、バックボーン網とＩＳＰ網との連結点にフェムトセルゲートウェイ（ｆｅｍｔｏ  ｃｅｌｌ  ｇａｔｅｗａｙ、ＦＧＷ）が存在できる。ＦＧＷは、マクロセル（またはマクロ）基地局（ＭＢＳ）との通信のための連結点として用いることができる。
【００３２】
ＦＧＷは、フェムトセル基地局と直接連結されることもでき、ＩＳＰごとに統合されたサーバー概念として、コア網とＩＳＰ網との間に位置することもできる。また、システムは、ＦＧＷの位置によらず、ＣＮＳ  ＧＷまたはＡＳＮ  ＧＷを通じてマクロセル（またはマクロ）基地局との通信を保障することができる。オーバーレイネットワークにおいて、ＭＢＳは、ＦＢＳに対する一部または全部の情報を送受信したり保存したりすることができる。
【００３３】
フェムトセル基地局構成が終わると、ＭＢＳは、ＦＢＳ位置情報を含む情報を認知することができる。このため、ＭＢＳはＦＢＳと無線インターフェースを通じて直接通信することができる。
【００３４】
この時、移動端末のホームフェムト基地局（Ｈｏｍｅ  Ｆｅｍｔｏ  ＢＳ）及び閉加入者グループ（ＣＳＧ）フェムト基地局を含むマクロ基地局を、オーバーレイマクロ基地局（Ｏｖｅｒｌａｙ  Ｍａｃｒｏ  ＢＳ）と呼ぶことができる。
【００３５】
図３は、非オーバーレイネットワークにおいてフェムトセル配置構造の一例を示す図である。
【００３６】
非オーバーレイ構造において、マクロ基地局（ＭＢＳ）の境界に一時的にユーザが多い場合、マクロセルの境界にフェムト基地局（ＦＢＳ）が設置されることができる。こうなる場合、ＭＢＳは、ＦＢＳに対する全ての情報を保存できないことがある。このとき、ＦＧＷは、オーバーレイ構造と同様の方法でＭＢＳと通信できる連結点の役割を果たすことができる。
【００３７】
フェムトセル基地局は、小さいカバレッジを有する。このため、フェムトセル基地局がフェムトセル領域を離れる度に位置更新を行うと、位置更新の回数が過度に増加する。
【発明の概要】
【発明が解決しようとする課題】
【００３８】
上述したように、最近フェムトセルの登場に伴って、遊休モードにある移動端末がフェムトセルからマクロセルに移動する時、マクロセルからフェムトセルに移動する時、または、フェムトセルからフェムトセルに移動する時、位置更新を必要とする。
【００３９】
そこで、本発明の目的は、遊休モードの移動端末が、フェムトセルからマクロセルに移動する時、マクロセルからフェムトセルに移動する時、または、フェムトセルからフェムトセルに移動する時に、效率的に位置更新を行うことができる方法を提供する。
【００４０】
本発明で解決しようとする技術的課題は、以上で言及した技術的課題に制限されず、言及していない他の技術的課題は、下の記載から、本発明の属する技術分野における通常の知識を有する者には明確になるであろう。
【課題を解決するための手段】
【００４１】
本発明の目的は、フェムトセルを含む無線通信システムの移動端末で位置更新を行う方法であって、前記移動端末が留まっている第１フェムトセル基地局のページンググループ識別子（ＩＤ）及び前記第１フェムトセル基地局を含むマクロ基地局のページンググループＩＤを含む登録解除命令（ｄｅｒｅｇｉｓｔｒａｔｉｏｎ  ｃｏｍｍａｎｄ、ＤＲＥＧ−ＣＭＤ）メッセージを受信する段階、前記移動端末が、前記第１フェムトセル領域から、前記第１フェムトセルのページンググループＩＤと異なるページンググループＩＤを持つ第２フェムトセル領域へ移動する間に、位置更新遅延タイマー（ｌｏｃａｔｉｏｎ  ｕｐｄａｔｅ  ｄｅｌａｙ  ｔｉｍｅｒ）を始動する段階、及び前記位置更新遅延タイマーの動作に基づいて位置更新を行う段階、を含む位置更新方法を提供して達成することができる。
【００４２】
本発明の他の側面において、フェムトセルを含む無線通信システムの移動端末で位置更新を行う方法であって、前記移動端末が留まっている第１フェムトセル基地局のページンググループ識別子（ＩＤ）を含む登録解除命令（ｄｅｒｅｇｉｓｔｒａｔｉｏｎ  ｃｏｍｍａｎｄ、ＤＲＥＧ−ＣＭＤ）メッセージを受信する段階、前記移動端末が、前記第１フェムトセルの領域から第２フェムトセルの領域へ移動する間に、位置更新遅延タイマー（ｌｏｃａｔｉｏｎ  ｕｐｄａｔｅ  ｄｅｌａｙ  ｔｉｍｅｒ）を始動する段階、及び前記位置更新遅延タイマーの動作に基づいて位置更新を行う段階、を含み、前記第１フェムトセルのページンググループＩＤと前記第２フェムトセルのページンググループＩＤとは同一であり、前記第１フェムトセルの閉加入者グループ（ｃｌｏｓｅｄ  ｓｕｂｓｃｒｉｂｅｒ  ｇｒｏｕｐ、ＣＳＧ）と前記第２フェムトセルの閉加入者グループとは異なる、位置更新方法が提供される。
【００４３】
本発明のさらに他の側面において、フェムトセルを含む無線通信システムの移動端末で位置更新を行う方法であって、前記移動端末が留まっている第１フェムトセル基地局のページンググループ識別子（ＩＤ）及び前記第１フェムトセル基地局を含むマクロ基地局のページンググループＩＤを含む登録解除命令（ｄｅｒｅｇｉｓｔｒａｔｉｏｎ  ｃｏｍｍａｎｄ、ＤＲＥＧ−ＣＭＤ）メッセージを受信する段階、前記移動端末が前記第１フェムトセルの領域から前記マクロ基地局の領域へ移動する間に、位置更新遅延タイマー（ｌｏｃａｔｉｏｎ  ｕｐｄａｔｅ  ｄｅｌａｙ  ｔｉｍｅｒ）を始動する段階、及び前記位置更新遅延タイマーの動作に基づいて位置更新を行う段階、を含む位置更新方法が提供される。
【００４４】
本発明さらに他の側面において、フェムトセル環境で位置更新を行う方法であって、基地局から第１領域の第１ページンググループ識別子（ＩＤ）及び第２領域の第２ページンググループＩＤを含む登録解除命令（ｄｅｒｅｇｉｓｔｒａｔｉｏｎ  ｃｏｍｍａｎｄ、ＤＲＥＧ−ＣＭＤ）メッセージを受信する段階、移動端末が前記位置更新を行うための第１タイマーを設定する段階、前記移動端末が前記第１領域から前記第２領域へ移動する段階、及び前記移動端末が所定の期間において前記位置更新を遅延するための第２タイマーを設定する段階、を含む位置更新方法が提供される。
【００４５】
前記第２タイマーが満了すると、前記移動端末は、前記第２領域で前記位置更新を行う段階をさらに含むことができる。
【００４６】
前記第２タイマーが満了する前に前記第１タイマーが満了すると、前記第２領域で前記位置更新を行う段階をさらに含むことができる。
【００４７】
前記移動端末が前記第２タイマーが満了する前に前記第１領域に復帰し、前記第１タイマーが満了していないと、前記移動端末は、前記位置更新を行わない段階をさらに含むことができる。
【００４８】
前記第１領域はマクロセル領域であり、前記第１ページンググループＩＤはマクロページンググループＩＤであり、前記第２領域はフェムトセル領域であり、前記第２ページンググループＩＤはフェムトページンググループＩＤであれば良い。
【００４９】
また、前記第１領域はフェムトセル領域であり、前記第１ページンググループＩＤはフェムトページンググループＩＤであり、前記第２領域はマクロセル領域であり、前記第２ページンググループ識別子はマクロページンググループＩＤであれば良い。
【００５０】
前記第１ページンググループＩＤ及び前記第２ページンググループＩＤは、互いに相関関係にあることができる。
【００５１】
本発明さらに他の側面において、フェムトセル環境で位置更新を行う方法であって、移動端末から登録解除命令メッセージを受信する段階、及び前記移動端末に、第１領域の第１ページンググループ識別子（ＩＤ）及び第２領域の第２ページンググループＩＤを含む登録解除命令を伝送する段階、を含み、前記移動端末が前記第１領域から前記第２領域へ移動する時、所定の期間において前記位置更新を遅延するための第１タイマーを設定する位置更新方法が提供される。
【００５２】
前記第１タイマーが満了すると、前記移動端末が前記第２領域で前記位置更新を行う段階をさらに含むことができる。
【００５３】
前記第１領域はマクロセル領域であり、前記第１ページンググループＩＤはマクロページンググループＩＤであり、前記第２領域はフェムトセル領域であり、前記第２ページンググループＩＤはフェムトページンググループ識別子であれば良い。
【００５４】
また、前記第１領域はフェムトセル領域であり、前記第１ページンググループＩＤはフェムトページンググループＩＤであり、前記第２領域はマクロセル領域であり、前記第２ページンググループＩＤはマクロページンググループＩＤであれば良い。
【００５５】
前記第１ページンググループＩＤ及び前記第２ページンググループＩＤは、互いに相関関係を有することができる。
【００５６】
次に、無線接続システムにおいて遊休モードを行ったり支援する方法及び装置を説明する。
【００５７】
本発明さらに他の側面において、移動端末が遊休モードの動作を行う方法であって、遊休モードの進入を要請する遊休モード要請メッセージを第１基地局に伝送する段階、前記第１基地局から第１ページング情報を含む遊休モード命令メッセージを受信する段階、第２基地局と位置更新を行うために、前記第２基地局にレンジング要請（ＲＮＧ−ＲＥＱ）メッセージを伝送する段階、及び前記第２基地局から第２ページング情報を含むレンジング応答（ＲＮＧ−ＲＳＰ）メッセージを受信する段階、を含み、前記第１ページング情報及び前記第２ページング情報のうちの一つ以上は、二段階ページングのためのパラメータを含む、遊休モード動作の実行方法が提供される。
【００５８】
第１実施例として、前記二段階ページングを行うためのパラメータは、第１ページングオフセット、第２ページングオフセット、閉加入者グループ（ＣＳＧ）フェムトセルページンググループＩＤ及びマクロセルページンググループＩＤのうちの少なくとも一つを含むことができる。
【００５９】
第１実施例として、前記第１ページングオフセットで、ページングメッセージをモニターする段階をさらに含むことができる。
【００６０】
第１実施例として、前記第２ページングオフセットで、ページングメッセージをモニターする段階をさらに含むことができる。
【００６１】
第１実施例として、前記第１基地局はマクロ基地局であり、前記第２基地局は閉加入者グループ（ＣＳＧ）フェムト基地局であれば良い。勿論、必要に応じて第１基地局はＣＳＧフェムト基地局とし、第２基地局はマクロ基地局とすることができる。
【００６２】
第１実施例として、遊休モード要請メッセージと遊休モード命令メッセージのそれぞれは、前記移動端末がページング領域を離れても、前記位置更新を行わない所定時間を表すタイマーパラメータをさらに含むことができる。
【００６３】
第１実施例として、前記レンジング要請メッセージ（ＲＮＧ−ＲＥＱ）及び前記レンジング応答（ＲＮＧ−ＲＳＰ）メッセージは、前記移動端末がページング領域を離れても、前記位置更新を行わない所定時間を表すタイマーパラメータをさらに含むことができる。
【００６４】
本発明さらに他の側面において、移動端末の遊休モードの動作を支援する方法であって、第１基地局で前記移動端末から遊休モードの進入を要請する遊休モード要請メッセージを受信する段階、前記第１基地局から前記移動端末に第１ページング情報を含む遊休モード命令メッセージを伝送する段階、第２基地局で前記移動端末から位置更新を行うためのレンジング要請メッセージを受信する段階、及び前記第２基地局から前記移動端末に第２ページング情報を含むレンジング応答メッセージを伝送する段階、を含み、前記第１ページング情報及び前記第２ページング情報のうちの一つ以上は、二段階ページングのためのパラメータを含む、遊休モード動作の支援方法を提供する。
【００６５】
第２実施例として、前記二段階ページングパラメータは、第１ページングオフセット、第２ページングオフセット、閉加入者グループ（ＣＳＧ）フェムトセルページンググループＩＤ及びマクロセルページンググループＩＤのうちの少なくとも一つを含むことができる。
【００６６】
第２実施例として、前記第１基地局で、前記第１ページングオフセットに、前記移動端末にページングメッセージを伝送する段階をさらに含むことができる。
【００６７】
第２実施例として、前記第２基地局で、前記第２ページングオフセットに、前記移動端末にページングメッセージを伝送する段階をさらに含むことができる。
【００６８】
第２実施例として、前記レンジング要請メッセージ及び前記レンジング応答メッセージのそれぞれは、前記移動端末がページング領域を離れても、前記位置更新を行わない所定時間を表すタイマーパラメータをさらに含むことができる。
【００６９】
第２実施例として、第１基地局はマクロ基地局であり、第２基地局はＣＳＧフェムト基地局であれば良い。勿論、必要に応じて、第１基地局はＣＳＧフェムト基地局とし、第２基地局はマクロ基地局とすることもできる。
【００７０】
本発明さらに他の側面において、遊休モードの動作を行う移動端末であって、メッセージを送受信するためのアンテナ、前記アンテナを制御して前記メッセージを伝送する伝送モジュール、前記アンテナを制御して前記メッセージを受信する受信モジュール、前記遊休モード動作に関する情報を保存するメモリー、及び前記伝送モジュール、前記受信モジュール及び前記メモリーを制御するためのプロセッサ、を含み、前記プロセッサは、前記伝送モジュール及び前記受信モジュールを制御し、遊休モードの進入を要請する遊休モード要請メッセージを第１基地局に伝送し、前記第１基地局から第１ページング情報を含む遊休モード命令メッセージを受信し、第２基地局へと位置更新を行うために、前記第２基地局にレンジング要請メッセージを伝送し、前記第２基地局から第２ページング情報を含むレンジング応答メッセージを受信し、前記第１ページング情報及び前記第２ページング情報のうちの一つ以上は、二段階ページングのためのパラメータを含む移動端末が提供される。
【００７１】
第３実施例として、前記二段階ページングのためのパラメータは、第１ページングオフセット、第２ページングオフセット、閉加入者グループ（ＣＳＧ）フェムトセルページンググループＩＤ及びマクロセルページンググループＩＤのうちの少なくとも一つを含むことができる。
【００７２】
第３実施例として、前記プロセッサは、前記第１ページングオフセット及び前記第２ページングオフセットのうちの一つ以上でページングメッセージをモニターすることができる。
【００７３】
第３実施例として、前記第１基地局はマクロ基地局であり、前記第２基地局は閉加入者グループ（ＣＳＧ）フェムト基地局であれば良い。勿論、必要に応じて、第１基地局はＣＳＧフェムト基地局とし、第２基地局はマクロ基地局とすることもできる。
【００７４】
前記遊休モード要請メッセージ及び前記遊休モード命令メッセージのそれぞれは、前記移動端末がページング領域を離れても、前記位置更新を行わない所定時間を表すタイマーパラメータをさらに含むことができる。
【００７５】
以上の実施例は、本発明の好適な実施例の一部に過ぎず、本発明の技術的特徴が反映された様々な実施例が、当該技術の分野における通常の知識を有する者にとっては、以下に説明される本発明の詳細な説明から導出されて理解されるであろう。
【発明の効果】
【００７６】
本発明の実施例は、下記のような効果を奏する。
【００７７】
第一に、本発明の実施例は、移動端末の位置更新の回数を減らすことができる。
【００７８】
第二に、本発明の実施例は、基地局のページングメッセージ伝送によるオーバーヘッドを低減することができる。
【００７９】
第三に、本発明の実施例は、移動端末がフェムトセルからマクロセルに移動する時、マクロセルからフェムトセルに移動する時、またはフェムトセルからフェムトセルに移動する時に、效率的に位置更新を行うことができる。
【００８０】
本発明から得られる効果は以上に言及した効果に制限されず、言及していない他の効果は、以下の記載から、本発明の属する技術の分野における通常の知識を有する者には明確に理解されるであろう。
（項目１）
フェムトセルを含む無線通信システムの移動端末で位置更新を行う方法であって、
前記移動端末が留まっている第１フェムトセル基地局のページンググループ識別子（ＩＤ）及び前記第１フェムトセル基地局を含むマクロ基地局のページンググループＩＤを含む登録解除命令（ｄｅｒｅｇｉｓｔｒａｔｉｏｎ  ｃｏｍｍａｎｄ、ＤＲＥＧ−ＣＭＤ）メッセージを受信する段階と、
前記移動端末が、前記第１フェムトセル領域から、前記第１フェムトセルのページンググループＩＤと異なるページンググループＩＤを有する第２フェムトセル領域へ移動する間に、位置更新遅延タイマー（ｌｏｃａｔｉｏｎ  ｕｐｄａｔｅ  ｄｅｌａｙ  ｔｉｍｅｒ）を始動する段階と、
前記位置更新遅延タイマーの動作に基づいて位置更新を行う段階と、
を含む、位置更新方法。
（項目２）
前記第２フェムトセルは、前記マクロ基地局の領域内に含まれ、
前記位置更新を行う段階は、前記位置更新遅延タイマーが満了した時、前記マクロ基地局へと前記位置更新を行う段階を含む、項目１に記載の位置更新方法。
（項目３）
前記位置更新を行う段階は、前記位置更新遅延タイマーが満了する前にタイマーベースの位置更新のための位置更新タイマー（ｌｏｃａｔｉｏｎ  ｕｐｄａｔｅ  ｔｉｍｅｒ）が満了すると、前記位置更新を行う段階を含む、項目１に記載の位置更新方法。
（項目４）
前記位置更新を行う段階は、前記位置更新遅延タイマーが満了する前に、前記移動端末が前記第１フェムトセルの領域に復帰すると、前記位置更新遅延タイマーを解除する段階を含む、項目１に記載の位置更新方法。
（項目５）
前記位置更新を行う段階は、前記位置更新遅延タイマーが満了する前に、前記移動端末が前記マクロ基地局のページンググループの領域を離れると、前記位置更新を行う段階を含む、項目１に記載の位置更新方法。
（項目６）
フェムトセルを含む無線通信システムの移動端末で位置更新を行う方法であって、
前記移動端末が留まっている第１フェムトセル基地局のページンググループ識別子（ＩＤ）を含む登録解除命令（ｄｅｒｅｇｉｓｔｒａｔｉｏｎ  ｃｏｍｍａｎｄ、ＤＲＥＧ−ＣＭＤ）メッセージを受信する段階と、
前記移動端末が前記第１フェムトセルの領域から第２フェムトセルの領域へ移動する間に、位置更新遅延タイマー（ｌｏｃａｔｉｏｎ  ｕｐｄａｔｅ  ｄｅｌａｙ  ｔｉｍｅｒ）を始動する段階と、
前記位置更新遅延タイマーの動作に基づいて位置更新を行う段階と、
を含み、
前記第１フェムトセルのページンググループＩＤと前記第２フェムトセルのページンググループＩＤとは同一であり、前記第１フェムトセルの閉加入者グループ（ｃｌｏｓｅｄ  ｓｕｂｓｃｒｉｂｅｒ  ｇｒｏｕｐ、ＣＳＧ）と前記第２フェムトセルの閉加入者グループとは異なる、位置更新方法。
（項目７）
前記第２フェムトセル基地局から、前記第２フェムトセルの閉加入者グループ（ＣＳＧ）ＩＤを含むページング広告（ＭＯＢ＿ＰＡＧ−ＡＤＶ）メッセージを受信する段階をさらに含む、項目６に記載の位置更新方法。
（項目８）
前記位置更新を行う段階は、前記位置更新遅延タイマーが満了した時、前記第２フェムトセルへと直ちに位置更新を行う段階を含む、項目６に記載の位置更新方法。
（項目９）
前記位置更新を行う段階は、前記位置更新遅延タイマーが満了する前に、タイマーベースの位置更新のための位置更新タイマー（ｌｏｃａｔｉｏｎ  ｕｐｄａｔｅ  ｔｉｍｅｒ）が満了すると、位置更新を行う段階を含む、項目６に記載の位置更新方法。
（項目１０）
前記位置更新を行う段階は、前記位置更新遅延タイマーが満了する前に、前記移動端末が前記第１フェムトセルの領域に復帰すると、前記位置更新遅延タイマーを解除する段階を含む、項目６に記載の位置更新方法。
（項目１１）
フェムトセルを含む無線通信システムの移動端末で位置更新を行う方法であって、
前記移動端末が留まっている第１フェムトセル基地局のページンググループ識別子（ＩＤ）及び前記第１フェムトセル基地局を含むマクロ基地局のページンググループＩＤを含む登録解除命令（ｄｅｒｅｇｉｓｔｒａｔｉｏｎ  ｃｏｍｍａｎｄ、ＤＲＥＧ−ＣＭＤ）メッセージを受信する段階と、
前記移動端末が前記第１フェムトセルの領域から前記マクロ基地局の領域へ移動する間に、位置更新遅延タイマー（ｌｏｃａｔｉｏｎ  ｕｐｄａｔｅ  ｄｅｌａｙ  ｔｉｍｅｒ）を始動する段階と、
前記位置更新遅延タイマーの動作に基づいて位置更新を行う段階と、
を含む、位置更新方法。
（項目１２）
前記位置更新遅延タイマーが満了する前に、前記移動端末が前記マクロ基地局の領域を離れると、直ちに位置更新を行う段階を含む、項目１１に記載の位置更新方法。
（項目１３）
前記第１フェムトセル基地局のページンググループＩＤと前記マクロ基地局のページンググループＩＤとが同一である、項目１１に記載の位置更新方法。
（項目１４）
フェムトセル環境で位置更新を行う方法であって、
基地局から第１領域の第１ページンググループ識別子（ＩＤ）及び第２領域の第２ページンググループＩＤを含む登録解除命令（ｄｅｒｅｇｉｓｔｒａｔｉｏｎ  ｃｏｍｍａｎｄ、ＤＲＥＧ−ＣＭＤ）メッセージを受信する段階と、
移動端末が前記位置更新を行うための第１タイマーを設定する段階と、
前記移動端末が前記第１領域から前記第２領域へ移動する段階と、
前記移動端末が所定の期間において前記位置更新を遅延するための第２タイマーを設定する段階と、
を含む、位置更新方法。
（項目１５）
前記第２タイマーが満了すると、前記移動端末は、前記第２領域で前記位置更新を行う、項目１４に記載の位置更新方法。
（項目１６）
前記第２タイマーが満了する前に前記第１タイマーが満了すると、前記第２領域で前記位置更新を行う、項目１４に記載の位置更新方法。
（項目１７）
前記移動端末が、前記第２タイマーが満了する前に前記第１領域に復帰し、前記第１タイマーが満了していないと、前記移動端末は前記位置更新を行わない、項目１４に記載の位置更新方法。
（項目１８）
前記第１領域は、マクロセル領域であり、
前記第１ページンググループＩＤは、マクロページンググループＩＤであり、
前記第２領域は、フェムトセル領域であり、
前記第２ページンググループＩＤは、フェムトページンググループＩＤである、項目１４に記載の位置更新方法。
（項目１９）
前記第１領域は、フェムトセル領域であり、
前記第１ページンググループＩＤは、フェムトページンググループＩＤであり、
前記第２領域は、マクロセル領域であり、
前記第２ページンググループ識別子は、マクロページンググループＩＤである、項目１４に記載の位置更新方法。
（項目２０）
前記第１ページンググループＩＤ及び前記第２ページンググループＩＤは、互いに相関関係にある、項目１４に記載の位置更新方法。
（項目２１）
フェムトセル環境で位置更新を行う方法であって、
移動端末から登録解除命令メッセージを受信する段階と、
前記移動端末に第１領域の第１ページンググループ識別子（ＩＤ）及び第２領域の第２ページンググループＩＤを含む登録解除命令を伝送する段階と、を含み、
前記移動端末が前記第１領域から前記第２領域へ移動する時、所定の期間において前記位置更新を遅延するための第１タイマーを設定する、位置更新方法。
（項目２２）
前記第１タイマーが満了すると、前記移動端末は、前記第２領域で前記位置更新を行う、項目２１に記載の位置更新方法。
（項目２３）
前記第１領域は、マクロセル領域であり、
前記第１ページンググループＩＤは、マクロページンググループＩＤであり、
前記第２領域は、フェムトセル領域であり、
前記第２ページンググループＩＤは、フェムトページンググループ識別子である、項目２１に記載の位置更新方法。
（項目２４）
前記第１領域は、フェムトセル領域であり、
前記第１ページンググループＩＤは、フェムトページンググループＩＤであり、
前記第２領域は、マクロセル領域であり、
前記第２ページンググループＩＤは、マクロページンググループＩＤである、項目２１に記載の位置更新方法。
（項目２５）
前記第１ページンググループＩＤ及び前記第２ページンググループＩＤは、互いに相関関係にある、項目２１に記載の位置更新方法。
（項目２６）
移動端末が遊休モードの動作を行う方法であって、
遊休モードの進入を要請する遊休モード要請メッセージを第１基地局に伝送する段階と、
前記第１基地局から第１ページング情報を含む遊休モード命令メッセージを受信する段階と、
第２基地局と位置更新を行うために、前記第２基地局にレンジング要請（ＲＮＧ−ＲＥＱ）メッセージを伝送する段階と、
前記第２基地局から第２ページング情報を含むレンジング応答（ＲＮＧ−ＲＳＰ）メッセージを受信する段階と、を含み、
前記第１ページング情報及び前記第２ページング情報のうちの一つ以上は、二段階ページングのためのパラメータを含む、遊休モード動作の実行方法。
（項目２７）
前記二段階ページングを行うためのパラメータは、第１ページングオフセット、第２ページングオフセット、閉加入者グループ（ＣＳＧ）フェムトセルページンググループＩＤ及びマクロセルページンググループＩＤのうちの一つ以上である、項目２６に記載の遊休モード動作の実行方法  。
（項目２８）
前記第１ページングオフセットで、ページングメッセージをモニターする段階をさらに含む、項目２６に記載の遊休モード動作の実行方法  。
（項目２９）
前記第２ページングオフセットで、ページングメッセージをモニターする段階をさらに含む、項目２６に記載の遊休モード動作の実行方法  。
（項目３０）
前記第１基地局は、マクロ基地局であり、前記第２基地局は、閉加入者グループ（ＣＳＧ）フェムト基地局である、項目２６に記載の遊休モード動作の実行方法  。
（項目３１）
前記各遊休モード命令メッセージは、前記移動端末がページング領域を離れても、前記位置更新を行わない所定時間を表すタイマーパラメータをさらに含む、項目２６に記載の遊休モード動作の実行方法  。
（項目３２）
前記レンジング要請メッセージ（ＲＮＧ−ＲＥＱ）及び前記レンジング応答（ＲＮＧ−ＲＳＰ）メッセージは、前記移動端末がページング領域を離れても、前記位置更新を行わない所定時間を表すタイマーパラメータをさらに含む、項目２６に記載の遊休モード動作の実行方法。
（項目３３）
移動端末の遊休モードの動作を支援する方法であって、
第１基地局で前記移動端末から遊休モードの進入を要請する遊休モード要請メッセージを受信する段階と、
前記第１基地局から前記移動端末に第１ページング情報を含む遊休モード命令メッセージを伝送する段階と、
第２基地局で前記移動端末から位置更新を行うためのレンジング要請メッセージを受信する段階と、
前記第２基地局から前記移動端末に第２ページング情報を含むレンジング応答メッセージを伝送する段階と、を含み、
前記第１ページング情報及び前記第２ページング情報のうち一つ以上は、二段階ページングのためのパラメータを含む、遊休モード動作の支援方法。
（項目３４）
前記二段階ページングパラメータは、第１ページングオフセット、第２ページングオフセット、閉加入者グループ（ＣＳＧ）フェムトセルページンググループＩＤ及びマクロセルページンググループＩＤのうちの一つ以上である、項目３３に記載の遊休モード動作の支援方法。
（項目３５）
前記第１基地局で、前記第１ページングオフセットに、前記移動端末にページングメッセージを伝送する段階をさらに含む、項目３３に記載の遊休モード動作の支援方法。
（項目３６）
前記第２基地局で、前記第２ページングオフセットに、前記移動端末にページングメッセージを伝送する段階をさらに含む、項目３３に記載の遊休モード動作の支援方法。
（項目３７）
前記レンジング要請メッセージ及び前記レンジング応答メッセージのそれぞれは、前記移動端末がページング領域を離れても、前記位置更新を行わない所定時間を表すタイマーパラメータをさらに含む、項目３３に記載の遊休モード動作の支援方法。
（項目３８）
遊休モードの動作を行う移動端末であって、
メッセージを送受信するためのアンテナと、
前記アンテナを制御して前記メッセージを伝送する伝送モジュールと、
前記アンテナを制御して前記メッセージを受信する受信モジュールと、
前記遊休モード動作に関する情報を保存するメモリーと、
前記伝送モジュール、前記受信モジュール及び前記メモリーを制御するプロセッサと、を含み、
前記プロセッサは、前記伝送モジュール及び前記受信モジュールを制御して、遊休モードの進入を要請する遊休モード要請メッセージを第１基地局に伝送し、前記第１基地局から第１ページング情報を含む遊休モード命令メッセージを受信し、第２基地局へと位置更新を行うために、前記第２基地局にレンジング要請メッセージを伝送し、前記第２基地局から第２ページング情報を含むレンジング応答メッセージを受信し、
前記第１ページング情報及び前記第２ページング情報のうちの一つ以上は、二段階ページングのためのパラメータを含む、移動端末。
（項目３９）
前記二段階ページングのためのパラメータは、第１ページングオフセット、第２ページングオフセット、閉加入者グループ（ＣＳＧ）フェムトセルページンググループＩＤ及びマクロセルページンググループＩＤのうち一つ以上である、項目３８に記載の移動端末。
（項目４０）
前記プロセッサは、前記第１ページングオフセット及び前記第２ページングオフセットのうちの一つ以上でページングメッセージをモニターする、項目３９に記載の移動端末。
（項目４１）
前記第１基地局は、マクロ基地局であり、
前記第２基地局は、閉加入者グループ（ＣＳＧ）フェムト基地局である、項目３８に記載の移動端末。
（項目４２）
前記遊休モード要請メッセージ及び前記遊休モード命令メッセージのそれぞれは、前記移動端末がページング領域を離れても、前記位置更新を行わない所定時間を表すタイマーパラメータをさらに含む、項目３８に記載の移動端末。
【図面の簡単な説明】
【００８１】
【図１】多数の基地局からなるページンググループの一例を示す図である。
【図２】オーバーレイネットワークでフェムトセル配置構造の一例を示す図である。
【図３】非オーバーレイネットワークでフェムトセル配置構造の一例を示す図である。
【図４】本発明の一実施例による、無線通信システムにおいて移動端末の遊休モード進入過程及びページング過程を示す図である。
【図５】（ａ）は、本発明の一実施例による、移動端末がホームフェムトセル領域からマクロセル領域へ移動することを示す図で、（ｂ）は、本発明の一実施例による、移動端末がホームフェムトセル領域からマクロセル領域へ移動する時における位置更新方法を示す図である。
【図６】本発明の一実施例による、移動端が、末フェムトセル領域から、フェムトセルのページンググループと相関関係を有しないページンググループのマクロセルへ移動することを示す図である。
【図７】本発明の一実施例による、移動端末がフェムトセル領域からホームマクロセル領域を経て、フェムトセルのページンググループと相関関係を有しないページンググループのマクロセルへ移動することを示す図である。
【図８】（ａ）は、本発明の一実施例による、移動端末がホームフェムトセル領域からマクロセル領域へ移動することを示す図であり、（ｂ）は、本発明の一実施例による、Ｐタイマーが満了する前にＴタイマーが満了する場合における位置更新方法を示す図である。
【図９】（ａ）は、本発明の一実施例による、移動端末がホームフェムトセル領域からマクロセル領域へ移動した後、再びホームフェムトセル領域へ移動することを示す図であり、（ｂ）は、本発明の一実施例による、Ｐタイマーが満了する前に移動端末がホームフェムトセル領域に復帰した場合における位置更新方法を示す図である。
【図１０】（ａ）は、本発明の一実施例による、移動端末がマクロセル領域からホームフェムトセル領域へ移動することを示す図で、（ｂ）は、本発明の一実施例による、移動端末がホームフェムトセル領域からマクロセル領域へ移動する場合における移動端末の位置更新方法を示す図で、（ｃ）は、本発明の一実施例による、Ｐタイマーが満了する前にＴタイマーが満了する場合における移動端末の位置更新方法を示す図で、（ｄ）は、本発明の一実施例による、Ｐタイマーが満了する前に移動端末がホームフェムトセル領域に復帰した場合における移動端末の位置更新方法を示す図である。
【図１１】（ａ）は、本発明の一実施例による、移動端末が、ホームフェムトセル領域から、ホームフェムトセルと異なるＰＧＩＤ及びＣＳＧを有するフェムトセル領域へ移動することを示す図で、（ｂ）は、本発明の一実施例による、移動端末が、ホームフェムトセル領域から、ホームフェムトセルと異なるＰＧＩＤ及びＣＳＧを有するフェムトセル領域へ移動する場合における、移動端末の位置更新方法を示す図で、（ｃ）は、本発明の一実施例による、Ｐタイマーが満了する前にＴタイマーが満了する場合における、移動端末の位置更新方法を示す図で、（ｄ）は、本発明の一実施例による、Ｐタイマーが満了する前に移動端末がホームフェムトセル領域に復帰した場合における、移動端末の位置更新方法を示す図である。
【図１２】本発明の一実施例による、移動端末が、ホームフェムトセル領域から、ホームフェムトセルと同一のＰＧＩＤ及びＣＳＧを有する他のフェムトセル領域へ移動することを示す図である。
【図１３】（ａ）は、本発明の一実施例による、移動端末が、ホームフェムトセル領域から、ホームフェムトセルと同一のＰＧＩＤを有すると共に異なるＣＳＧを有するフェムトセル領域へ移動することを示す図で、（ｂ）は、本発明の一実施例による移動端末が、ホームフェムトセル領域から、ホームフェムトセルと同一のＰＧＩＤを有すると共に異なるＣＳＧを有するフェムトセル領域へ移動する場合における、移動端末の位置更新方法を示す図で、（ｃ）は、本発明の一実施例による、Ｐタイマーが満了する前にＴタイマーが満了する場合における、移動端末の位置更新方法を示す図で、（ｄ）は、本発明の一実施例による、Ｐタイマーが満了する前に移動端末がホームフェムトセル領域に復帰した場合における、移動端末の位置更新方法を示す図である。
【図１４】本発明の他の実施例による、移動端末のタイマーに基づく位置更新方法を示す図である。
【図１５】本発明の一実施例による、二段階（ｔｗｏ  ｓｔｅｐ）ページングを行う方法を示す図である。
【図１６】本発明の一実施例による、二段階ページングを行う方法を示す図である。
【図１７】本発明の一実施例による、二段階ページングが行われる様子を示す図である。
【図１８】本発明の実施例が具現されうる移動端末及び基地局の構成を示す図である。
【発明を実施するための形態】
【００８２】
以下、添付の図面を参照しつつ、本発明の実施例を、本発明の属する技術の分野における通常の知識を有する者が容易に実施できるように詳細に説明する。ただし、本発明は、ここで説明される実施例に限定されず、様々な具現形態とすることができる。そして、図面において、本発明を明確に説明するために、説明と関係ない部分は省略し、明細書全体を通じて類似の部分には類似の図面符号を付した。
【００８３】
明細書全体において、ある部分がある構成要素を“含む”ということは、特別な記載がない限り、他の構成要素を除外するという意味ではなく、他の構成要素をさらに含むという意味である。また、明細書に記載された“…部”、“…機”、“モジュール”などの用語は、少なくとも一つの機能や動作を処理する単位を意味し、これらはハードウェア、ソフトウェア、またはハードウェアとソフトウェアとの結合で具現することができる。
【００８４】
以下、図４を参照して、本発明の一実施例による、無線通信システムにおいて遊休モード進入及びページング手順のために移動端末を制御する方法を説明する。
【００８５】
図４は、本発明の一実施例による、無線通信システムにおいて移動端末の遊休モード進入過程及びページング過程を示す図である。
【００８６】
遊休モードにおいて、ページングは、ページンググループ単位で行うことができる。例えば、移動端末は、一つあるいは複数個のページンググループに含まれることができる。各ページンググループ内に、移動端末のための着信呼や、外部網から移動端末に伝送されるパケットが受信される時、ページング制御機は移動端末を探すためにページングを行う。特に、ページングのために、ページング制御機は、ページンググループ内の全ての基地局に、ページングメッセージを伝送し、ページングメッセージを受信した各基地局は、移動端末に移動ページング広告（ＭＯＢ＿ＰＡＧ−ＡＤＶ）メッセージをブロードキャストする。
【００８７】
図４を参照すると、移動端末は、正規モードから遊休モードに進入するために、現在通信中のサービング基地局（ｓｅｒｖｉｎｇ  ＢＳ、ＳＢＳ）に登録解除要請（ＤＲＥＧ−ＲＥＱ）メッセージを伝送する（Ｓ１１０）。すなわち、移動端末がフェムトセル基地局と通信中である時、移動端末は、フェムトセル基地局に登録解除要請メッセージを伝送し、移動端末がマクロ基地局と通信中である時、移動端末は、マクロセル基地局（またはマクロ基地局）に登録解除要請メッセージを伝送する。
【００８８】
登録解除要請メッセージを受信したサービング基地局は、ページング制御機に移動端末情報及びサービング基地局情報を伝送する（Ｓ１２０）。移動端末情報は、移動端末のＭＡＣ（Ｍｅｄｉａ  Ａｃｃｅｓｓ  Ｃｏｎｔｒｏｌ）アドレスであれば良く、サービング基地局情報は、サービング基地局ＩＤであれば良い。
【００８９】
ページング制御機は、ページング制御機に関する情報をサービング基地局に伝送する（Ｓ１３０）。
【００９０】
サービング基地局は、登録解除要請（ＤＲＥＧ−ＲＥＱ）メッセージに対する応答として登録解除命令（ＤＲＥＧ−ＣＭＤ）メッセージを、移動端末に伝送する（Ｓ１４０）。
【００９１】
表１は、移動端末がフェムトセル基地局と通信中において遊休モードに進入する場合、フェムトセル基地局から伝送される登録解除命令（ＤＲＥＧ−ＣＭＤ）メッセージを表すものである。
【００９２】
【表１】
0005205518.tif 000002
表１を参照すると、フェムトセル基地局から伝送されるＤＲＥＧ−ＣＭＤメッセージは、フェムトセル基地局ページンググループ識別子（Ｆ＿ＰＧＩＤ）、オーバーレイマクロ基地局ページンググループＩＤ（Ｍ＿ＰＧＩＤ）、フェムトセル基地局ページングオフセット及びオーバーレイマクロセル基地局ページングオフセットを含むことができる。
【００９３】
Ｆ＿ＰＧＩＤは、フェムトセル基地局が属しているＣＳＧに基づいて決定することができる。例えば、同一のＣＳＧに含まれたフェムトセル基地局は、同一のＦ＿ＰＧＩＤを使用することができる。
【００９４】
Ｍ＿ＰＧＩＤは、フェムトセルが属しているマクロセルのページンググループＩＤである。フェムトセル基地局は、Ｆ＿ＰＧＩＤ及びＭ＿ＰＧＩＤを共に移動端末に伝送し、移動端末がＦ＿ＰＧＩＤとＭ＿ＰＧＩＤとの相関関係を持つようにすることができる。
【００９５】
フェムトセル基地局ページングオフセットは、移動端末がフェムトセルのページンググループから伝送されるページングメッセージをモニタリングする時点であり、オーバーレイマクロ基地局ページングオフセットは、移動端末がマクロセルのページンググループから伝送されるページングメッセージをモニタリングする時点である。
【００９６】
さらに、ＤＲＥＧ−ＣＭＤメッセージは、ページング周期及びページング聴取区間（ｐａｇｉｎｇ  ｌｉｓｔｅｎ  ｉｎｔｅｒｖａｌ）を含むこともできる。
【００９７】
移動端末は、フェムトセル領域ではフェムトセルページング情報を通じてページングメッセージを受信し、フェムトセル領域を離れてから、移動端末が位置更新を行うまでは、マクロセルページング情報を通じてページングメッセージをモニタリングする。
【００９８】
なお、マクロセルからフェムトセルへと位置更新を行う時には、表２のようなレンジング応答（ＲＮＧ−ＲＳＰ）メッセージを通じてフェムトセル基地局及びマクロ基地局のページング情報を受信する。移動端末が位置更新を行った後に、フェムトセル領域ではフェムトセルページング情報を通じてページングメッセージを受信し、フェムトセル領域を離れてから移動端末が位置更新を行うまでは、移動端末は、マクロセルページング情報を通じてページングメッセージをモニタリングする。
【００９９】
【表２】
0005205518.tif 000003
表３は、移動端末がマクロ基地局と通信中において遊休モードに進入する場合、マクロ基地局から伝送されるＤＲＥＧ−ＣＭＤメッセージを表すものである。
【０１００】
【表３】
0005205518.tif 000004
表３を参照すると、マクロ基地局から伝送されるＤＲＥＧ−ＣＭＤメッセージは、マクロセル基地局ページンググループＩＤ（Ｍ＿ＰＧＩＤ）、Ｍ＿ＰＧＩＤのオーバーレイマクロ基地局ページングオフセット及び移動端末のホームフェムトセル基地局のページンググループＩＤ（Ｆ＿ＰＧＩＤ）を含むことができる。すなわち、マクロセル基地局は、Ｆ＿ＰＧＩＤ及びＭ＿ＰＧＩＤを共に移動端末に伝送して、移動端末がＦ＿ＰＧＩＤとＭ＿ＰＧＩＤとの相関関係を持つようにすることができる。
【０１０１】
例えば、マクロセル領域に移動端末のホームフェムトセル基地局２個設置されており、２個のホームフェムトセル基地局が、互いに異なるＣＳＧを持つとすれば、マクロセル基地局は、ＤＲＥＧ−ＣＭＤメッセージを通じて移動端末にＭ＿ＰＧＩＤ及び２個のＦ＿ＰＧＩＤを伝送して、移動端末がＭ＿ＰＧＩＤと２個のＦ＿ＰＧＩＤとの相関関係を持つようにする。
【０１０２】
ＤＲＥＧ−ＣＭＤメッセージを確認した移動端末は、遊休モードに進入する。遊休モード中の移動端末は、ＤＲＥＧ−ＣＭＤメッセージを通じて受信したページング情報に基づいてページングメッセージを受信することができる。
【０１０３】
移動端末が遊休モードにある時に、ページング制御機に移動端末に対する着信呼またはパケットが受信されると（Ｓ１５０）、ページング制御機は、ページンググループ内の全ての基地局にページングメッセージを伝送する（Ｓ１６０）。ページングメッセージを受信した主ページンググループ内の基地局は、自身の管理する移動端末に、ページング広告（ＰＡＧ−ＡＤＶ）メッセージをブロードキャストし（Ｓ１７０）、移動端末は、基地局からＰＡＧ−ＡＤＶメッセージを受信し、正規モードに進入し、サービング基地局と通信する（Ｓ１８０）。
【０１０４】
ページング制御機が移動端末に対する着信呼やパケットを受信すると、ページング制御機は、ページングメッセージを用いて移動端末を探すために、フェムトセル基地局ページングオフセットで、フェムトセル基地局を介してページングメッセージを伝送する。ページングメッセージに対する応答がないと、ページング制御機は、オーバーレイマクロ基地局ページングオフセットで、マクロ基地局を介してページングメッセージを伝送する。
【０１０５】
遊休モードにある移動端末は、位置更新条件を満たす場合、位置更新を行う。位置更新条件には、ページンググループ位置更新、タイマーベースの位置更新、パワーダウン位置更新及びＭＡＣハッシュスキップ臨界値更新（ＭＡＣ  ｈａｓｈ  ｓｋｉｐ  ｔｈｒｅｓｈｏｌｄ  ｕｐｄａｔｅ）方法などがある。
【０１０６】
タイマーベースの位置更新は、位置更新タイマー（以下、“Ｔタイマー”という。）が満了すると位置更新を行うことを意味する。
【０１０７】
ページンググループ位置更新は、移動端末が、属していたページンググループから他のページンググループの領域に入った場合に位置更新を行うことを意味する。移動端末が頻繁に位置更新を行うことを防止するために、移動端末がフェムトセル領域からマクロセル領域へ移動したり、マクロセル領域からフェムトセル領域へ移動したり、フェムトセル領域から他のフェムトセル領域へ移動する場合、本発明の一実施例による位置更新方法は、直ちに位置更新を行わず、移動端末が移動した時点から一定時間の後に位置更新を行う。この時、あらかじめ設定されたタイマーを、位置更新のために使用することができる。説明の便宜上、あらかじめ設定されたタイマーは、ページンググループ位置更新タイマー（ＰＧ＿ＬＵ＿ＴＩＭＥＲ）または位置更新遅延タイマーと呼ぶ。ここで、Ｐタイマーの時間値は、Ｔタイマーの時間値よりも短いことが望ましい。
【０１０８】
次に、移動端末がホームフェムトセル領域からマクロセル領域へ移動する場合、本発明の一実施例による位置更新方法について、図５乃至図７を参照して説明する。
【０１０９】
図５（ａ）は、本発明の一実施例による、移動端末がホームフェムトセル領域からマクロセル領域へ移動することを示す図で、図５（ｂ）は、本発明の一実施例による、移動端末がホームフェムトセル領域からマクロセル領域へ移動する場合における、位置更新方法を示す図である。
【０１１０】
図５（ａ）を参照すると、フェムトセルのページンググループＩＤであるＦ＿ＰＧＩＤが１に設定され、マクロセルのページンググループＩＤであるＭ＿ＰＧＩＤが０に設定され、フェムトセルがマクロセルの領域内にあるので、Ｆ＿ＰＧＩＤとＭ＿ＰＧＩＤとは相関関係を有する。
【０１１１】
図５（ａ）及び５（ｂ）に示すように、移動端末がフェムトセルの位置Ａからマクロセルの位置Ｂに移動する場合、従来技術では、ページンググループＩＤが１であるページンググループの領域からページンググループＩＤが０である他のページンググループの領域へ移動したので、移動端末は位置更新を行わなければならない。しかし、本発明の一実施例では、移動端末が、相関関係を持つページンググループへ移動した場合、直ちに位置更新を行わず、Ｐタイマーを始動する。
【０１１２】
Ｐタイマーが動作する間に、移動端末は、オーバーレイマクロ基地局ページングオフセットで、ページングメッセージをモニタリングする。そして、Ｐタイマーが満了した時点に、移動端末がＦ＿ＰＧＩＤが１であるページンググループの領域に復帰しないと、移動端末は位置更新を行う。
【０１１３】
図５では、フェムトセルのページンググループＩＤとマクロセルのページンググループＩＤとが異なる場合について説明しているが、フェムトセルのページンググループＩＤとマクロセルのページンググループＩＤとが同じ場合にも、移動端末がフェムトセル領域からマクロセル領域へ移動した場合には位置更新を行う。
【０１１４】
図６は、本発明の一実施例による、移動端末が、フェムトセル領域から、フェムトセルのページンググループと相関関係を有しないページンググループのマクロセルに移動することを示す図である。図６を参照すると、移動端末が、フェムトセル領域から、ホームマクロセルである１番マクロセル（ｍａｃｒｏｃｅｌｌ  ＃１）ではなく２番マクロセル（ｍａｃｒｏｃｅｌｌ  ＃２）に移動する。この場合には、移動端末が相関関係のないページンググループへ移動したので、Ｐタイマーを駆動せず、直ちに位置更新を行う。
【０１１５】
図７は、本発明の一実施例による、移動端末が、フェムトセル領域からホームマクロセル領域を経て、フェムトセルのページンググループと相関関係を有しないページンググループのマクロセルに移動することを示す図である。この場合には、移動端末がフェムトセル領域からホームマクロセル領域へ移動する時、Ｐタイマーを始動し、Ｐタイマーが満了する前に、端末がフェムトセルのページンググループと相関関係を有しないページンググループのマクロセル領域へ移動すると、移動端末は直ちに位置更新を行い、Ｐタイマーの作動を中断する。
【０１１６】
図８（ａ）は、本発明の一実施例による、移動端末が、ホームフェムトセル領域からマクロセル領域へ移動することを示す図であり、図８（ｂ）は、本発明の一実施例による、Ｐタイマーが満了する前にＴタイマーが満了する場合における、位置更新方法を示す図である。
【０１１７】
図８（ａ）を参照すると、フェムトセルのページンググループＩＤであるＦ＿ＰＧＩＤは１に設定され、マクロセルのページンググループＩＤであるＭ＿ＰＧＩＤは０に設定され、フェムトセルがマクロセルの領域内にあるので、Ｆ＿ＰＧＩＤとＭ＿ＰＧＩＤ間の相関関係を有している。
【０１１８】
図８（ａ）及び８（ｂ）を参照すると、移動端末がフェムトセルの位置Ａからマクロセルの位置Ｂに移動する場合、従来技術では、ページンググループＩＤが１であるページンググループの領域から、ページンググループＩＤが０であるページンググループの領域へ移動したので、位置更新を行わなければならない。しかし、本発明の一実施例では、移動端末が相関関係を有するページンググループへ移動した場合には、直ちに位置更新を行わず、Ｐタイマーを始動する。
【０１１９】
図８（ｂ）を参照すると、Ｐタイマーが満了する前に、タイマーベースの位置更新に用いられるＴタイマーが満了すると、移動端末は位置更新を行い、Ｐタイマーの作動を中断する。
【０１２０】
図９（ａ）は、本発明の一実施例による、移動端末がホームフェムトセル領域からマクロセル領域へ移動した後、再びホームフェムトセル領域へ移動することを示す図であり、図９（ｂ）は、本発明の一実施例による、Ｐタイマーが満了する前に移動端末がホームフェムトセル領域に復帰した場合における、位置更新方法を示す図である。
【０１２１】
図９（ａ）を参照すると、フェムトセルページンググループＩＤであるＦ＿ＰＧＩＤが１に設定され、マクロセルページンググループＩＤであるＭ＿ＰＧＩＤが０に設定され、フェムトセルがマクロセルの領域内にあるので、Ｆ＿ＰＧＩＤとＭ＿ＰＧＩＤ間の相関関係を有している。
【０１２２】
図９（ａ）及び９（ｂ）を参照すると、移動端末が、フェムトセルの位置Ａからマクロセルの位置Ｂに移動する場合、従来技術では、ページンググループＩＤが１であるページンググループの領域から、ページンググループＩＤが０であるページンググループの領域へ移動したので、移動端末は位置更新を行わなければならない。しかし、本発明の実施例では、移動端末が相関関係を有するページンググループへ移動した場合には、直ちに位置更新を行わず、Ｐタイマーを始動する。
【０１２３】
図９（ｂ）を参照すると、移動端末が、Ｐタイマーが満了する前に、フェムトセル領域に復帰すると、移動端末は位置更新を行わず、Ｐタイマーを解除する。
【０１２４】
次に、移動端末がマクロセル領域からホームフェムトセル領域へ移動する場合、本発明の一実施例による位置更新方法について、図１０を参照して説明する。
【０１２５】
図１０（ａ）は、本発明の一実施例による、移動端末がマクロセル領域からホームフェムトセル領域へ移動することを示す図であり、図１０（ｂ）は、本発明の一実施例による、移動端末がホームフェムトセル領域からマクロセル領域へ移動する場合における、移動端末の位置更新方法を示す図であり、図１０（ｃ）は、本発明の一実施例による、Ｐタイマーが満了する前にＴタイマーが満了する場合における、移動端末の位置更新方法を示す図であり、図１０（ｄ）は、本発明の一実施例による、Ｐタイマーが満了する前に、移動端末がホームフェムトセル領域に復帰した場合における、移動端末の位置更新方法を示す図である。
【０１２６】
図１０（ａ）を参照すると、フェムトセルのページンググループＩＤであるＦ＿ＰＧＩＤは１に設定され、マクロセルのページンググループＩＤであるＭ＿ＰＧＩＤは０に設定され、フェムトセルはホームフェムトセルであり、フェムトセルがマクロセル領域内にあるので、Ｆ＿ＰＧＩＤとＭ＿ＰＧＩＤとは相関関係を有している。
【０１２７】
図１０（ａ）乃至１０（ｄ）を参照すると、移動端末がマクロセルの位置Ｂからフェムトセルの位置Ａに移動する場合、従来技術では、ページンググループＩＤが０であるページンググループの領域から、ページンググループＩＤが１であるページンググループの領域へ移動したので、移動端末は位置更新を行わなければならない。しかし、本発明の一実施例では、移動端末が、相関関係にあるページンググループへ移動した場合には、直ちに位置更新を行わず、Ｐタイマーを始動する。
【０１２８】
図１０（ｂ）を参照すると、Ｐタイマーが満了した時点に、移動端末がＭ＿ＰＧＩＤが０であるページンググループの領域に復帰しないと、移動端末は、位置更新を行う。この時、移動端末が遊休モードに進入する時に設定されたＴタイマーは更新または解除することができる。なお、Ｐタイマーが満了する前に、移動端末がＰＧＩＤ１と相関関係を有しないページンググループの領域へ移動した場合には、直ちに位置更新を行う。
【０１２９】
図１０（ｃ）を参照すると、Ｐタイマーが満了する前に、タイマーベースの位置更新に使われるＴタイマーが満了すると、移動端末は位置更新を行い、Ｐタイマーを解除する。
【０１３０】
図１０（ｄ）を参照すると、Ｐタイマーが満了する前に、移動端末がフェムトセル領域に復帰すると、位置更新を行わず、Ｐタイマーを解除する。
【０１３１】
次に、移動端末が、あるフェムトセル領域から他のフェムトセル領域へ移動する場合、本発明の実施例による位置更新方法について、図１１乃至図１２を参照して説明する。
【０１３２】
まず、移動端末が、ホームフェムトセル領域から、ホームフェムトセルと異なるＰＧＩＤ及びＣＳＧを有するフェムトセル領域へ移動する場合における、本発明の実施例による移動端末の位置更新方法について、図１１を参照して説明する。
【０１３３】
図１１（ａ）は、本発明の一実施例による、移動端末がホームフェムトセル領域から、ホームフェムトセルと異なるＰＧＩＤ及びＣＳＧを有するフェムトセル領域へ移動することを示す図であり、図１１（ｂ）は、本発明の一実施例による、移動端末が、ホームフェムトセル領域から、ホームフェムトセルと異なるＰＧＩＤ及びＣＳＧを有するフェムトセル領域へ移動する場合における、移動端末の位置更新方法を示す図であり、図１１（ｃ）は、本発明の一実施例による、Ｐタイマーが満了する前にＴタイマーが満了する場合における、移動端末の位置更新方法を示す図であり、図１１（ｄ）は、本発明の一実施例による、Ｐタイマーが満了する前に移動端末がホームフェムトセル領域に復帰した場合における、移動端末の位置更新方法を示す図である。
【０１３４】
図１１（ａ）乃至図１１（ｄ）を参照すると、移動端末が、ページンググループＩＤは２であると共にＣＳＧはＢであるホームフェムトセルから、ページンググループＩＤは１であると共にＣＳＧはＡであるフェムトセルへ移動する場合、移動端末は、Ｐタイマーを始動し、Ｐタイマーの作動に基づいてマクロセルに位置更新を行う。
【０１３５】
すなわち、図１１（ｂ）に示すように、Ｐタイマーが満了した時点に、移動端末がＭ＿ＰＧＩＤが２であるページンググループの領域に復帰しないと、移動端末は位置更新を行い、図１１（ｃ）に示すように、Ｐタイマーが満了する前に、タイマーベースの位置更新に使われるＴタイマーが満了すると、移動端末は、直ちに位置更新を行い、Ｐタイマーを解除し、図１１（ｄ）に示すように、Ｐタイマーが満了する前に、移動端末がフェムトセル領域に復帰すると、移動端末は位置更新を行わず、Ｐタイマーを解除する。
【０１３６】
次に、移動端末がホームフェムトセル領域から、ホームフェムトセルと同一のＰＧＩＤ及びＣＳＧを有するフェムトセル領域へ移動する場合における、本発明の一実施例による位置更新方法について、図１２を参照して説明する。
【０１３７】
図１２は、本発明の一実施例による、移動端末が、ホームフェムトセル領域から、ホームフェムトセルと同一のＰＧＩＤ及びＣＳＧを有するもう一つのフェムトセル領域へ移動することを示す図である。移動端末が、第１ホームフェムトセル領域から、第１ホームフェムトセルと同一のＰＧＩＤ及びＣＳＧを有する第２ホームフェムトセル領域へ移動すると、移動端末は、位置更新を行わない。図１２を参照すると、第１ホームフェムトセルが含まれているマクロセルと第２ホームフェムトセルが含まれているマクロセルとが異なることから、移動端末がマクロセル間の移動をした場合にも、移動端末は位置更新を行わない。
【０１３８】
さらに、ホームフェムトセル基地局とバインディング（ｂｉｎｄｉｎｇ）されたマクロ基地局を、ホームマクロ基地局とし、ホームフェムトセル基地局が２個以上のホームマクロ基地局とバインディングされているとすれば、移動端末がホームフェムトセル基地局の各領域からホームマクロ基地局の各領域へ移動した場合、Ｐタイマーが始動し、Ｐタイマーが満了した時、移動端末がホームフェムトセル基地局のページンググループ領域へ復帰しない場合に位置更新を行う。
【０１３９】
ページング制御機が、移動端末に対する着信呼やパケットを受信すると、ページング制御機は、ページングメッセージを用いて移動端末を探すために、まず、フェムト基地局ページングオフセットで、フェムトセル基地局を介してページングメッセージを伝送する。ページング制御機がページングメッセージの応答を受信できないと、ページング制御機は、オーバーレイマクロセル基地局ページングオフセットで、マクロ基地局を介してページングメッセージを伝送する。
【０１４０】
次に、移動端末がホームフェムトセル領域から、ホームフェムトセルと同一のＰＧＩＤを有すると共にＣＳＧは異なるフェムトセル領域へ移動する場合における、本発明の一実施例による移動端末の位置更新方法について、図１３を参照して説明する。
【０１４１】
図１３（ａ）は、本発明の一実施例による、移動端末が、ホームフェムトセル領域から、ホームフェムトセルと同一のＰＧＩＤを有すると共に異なるＣＳＧを有するフェムトセル領域へ移動することを示す図であり、図１３（ｂ）は、本発明の一実施例による、移動端末が、ホームフェムトセル領域から、ホームフェムトセルと同一のＰＧＩＤを有すると共に異なるＣＳＧを有するフェムトセル領域へ移動する場合における、移動端末の位置更新方法を示す図であり、図１３（ｃ）は、本発明の一実施例による、Ｐタイマーが満了する前にＴタイマーが満了する場合における、移動端末の位置更新方法を示す図であり、図１３（ｄ）は、本発明の一実施例による、Ｐタイマーが満了する前に、移動端末がホームフェムトセル領域に復帰した場合における、移動端末の位置更新方法を示す図である。
【０１４２】
図１３（ａ）を参照すると、移動端末は、位置Ｂから位置Ａに移動し、位置Ｂ及び位置Ａは両方とも、ＰＧＩＤが１である。この場合、従来技術では、同一のＰＧＩＤを有する領域へ移動したので、移動端末は位置更新を行わない。
【０１４３】
しかし、フェムトセルに対して多いＰＧＩＤが必要とされるから、ＰＧＩＤが再使用されることがある。特に、同一のＰＧＩＤを持つ２フェムトセルが隣接している場合には、異なるページングサイクル及びページングオフセットを有することがあり、あるフェムトセル領域から、ＰＧＩＤは同じであるが、ページングオフセットが異なるフェムトセル領域へ移動した移動端末は、ページングメッセージを受信することができない。
【０１４４】
そこで、移動端末が、ホームフェムトセル領域から、ホームフェムトセルと同一のＰＧＩＤを有するが、ＣＳＧは異なるフェムトセル領域へ移動すると、Ｐタイマーを用いて位置更新を行う。
【０１４５】
移動端末は、フェムトセル基地局が伝送する放送チャネル（ＢＣＨ）、追加的なシステム情報またはページング広告（ＭＯＢ＿ＰＡＧ−ＡＤＶ）メッセージを通じて、フェムトセルのＣＳＧを確認することができる。
【０１４６】
表４は、フェムトセル基地局から伝送されるＭＯＢ＿ＰＡＧ−ＡＤＶメッセージの一例を表すものである。
【０１４７】
【表４】
0005205518.tif 000005
表４を参照すると、フェムトセル基地局から伝送されるページング広告メッセージは、フェムトセル基地局ＩＤ（ｂａｓｅ  ｓｔａｔｉｏｎＩＤ、ＢＳ  ＩＤ）とフェムトセル基地局が支援するＣＳＧのＩＤを含むことができる。
【０１４８】
移動端末が、ホームフェムトセル領域から、ホームフェムトセルと同一のＰＧＩＤを有するが、ＣＳＧが異なる他のフェムトセル領域へ移動すると、Ｐタイマーが始動する。  図１３（ｂ）に示すように、Ｐタイマーが満了した時点に、移動端末がＣＳＧ  Ａの領域に復帰しないと、移動端末の位置更新を行い、図１３（ｃ）に示すように、Ｐタイマーが満了する前にタイマーベースの位置更新に使われるＴタイマーが満了すると、移動端末は、位置更新を行い、Ｐタイマーを解除する。図１３（ｄ）に示すように、Ｐタイマーが満了する前に、移動端末がＣＳＧ  Ａの領域に復帰すると、移動端末は、位置更新を行わず、Ｐタイマーを解除する。
【０１４９】
図１４は、本発明の他の実施例による、移動端末のタイマーに基づく位置更新方法を示す図である。
【０１５０】
移動端末は、遊休モードに進入することができる。この時、サービング基地局がマクロ基地局（または、マクロセル基地局）またはフェムト基地局（または、フェムトセル基地局）であればいい。
【０１５１】
移動端末は、遊休モードに進入した後に、位置更新タイマー（Ｔｔｉｍｅｒ）を設定することができる（Ｓ９０２）。
【０１５２】
移動端末は、様々な動作を行いながら、タイマーの満了したか否かを判断することができる。例えば、移動端末は、あるセル領域から他のセル領域へ移動する中に、Ｔタイマーが満了したか否かを判断することができる。もし、Ｔタイマーが満了した場合は、移動端末は位置更新を行うことができる。Ｔタイマーが満了する前においては、移動端末は、引き続き遊休モードに留まることができる。
【０１５３】
Ｔタイマーが満了する前に、移動端末はマクロセルからフェムトセルに、フェムトセルからマクロセルに、及び／またはフェムトセルからフェムトセルに移動することができる（Ｓ９０３）。
【０１５４】
マクロセルとフェムトセルのページング識別子が互いに相関関係にある場合には、移動端末は、ページンググループが変更されても位置更新を行わず、、位置更新遅延タイマー（例えば、Ｐタイマー）を設定することができる。さらに、移動端末が一つ以上のフェムトセルに加入しており、各フェムトセルが互いに相関関係にある場合には、移動端末は、ページンググループが変更されても位置更新を行わず、Ｐタイマーを設定することができる（Ｓ９０４）。
【０１５５】
移動端末は、Ｐタイマーが満了するか否かを判断することができる（Ｓ９０５）。
【０１５６】
Ｐタイマーが満了すると、移動端末は、該当の領域のマクロセル基地局またはフェムトセル基地局へと位置更新を行うことができる（Ｓ９０７）。
【０１５７】
Ｐタイマーが満了していないと、移動端末は、Ｔタイマーが満了したか否か判断し（Ｓ９０６）、Ｔタイマーも満了していない場合には、継続して遊休モード動作を行うことができる。この時、タイマー条件以外の他のイベントが発生することがある。その場合には、移動端末は、タイマー動作を無視し、該当のイベントに従う動作を行うことができる。もちろん、Ｔタイマーが満了した場合にも、移動端末は該当の基地局へと位置更新を行うことができる（Ｓ９０７）。
【０１５８】
本発明のさらに他の実施例として、上述した本発明の実施例が行われる移動端末及び基地局について説明する。
【０１５９】
移動端末は、アップリンクでは送信機として動作し、ダウンリンクでは受信機として動作することができる。また、基地局は、アップリンクでは受信機として動作し、ダウンリンクでは送信機として動作することができる。すなわち、移動端末及び基地局は、情報またはデータの送受信のために送信機及び受信機を含むことができる。
【０１６０】
送信機及び受信機は、本発明の実施例が行われるためのプロセッサ、モジュール、部分及び／または手段などを含むことができる。特に、送信機及び受信機は、遊休モード動作を行うためのモジュール（手段）、タイマーを起動するためのモジュール、及びメッセージを送受信するためのアンテナなどを含むことができる。
【０１６１】
本発明の実施例に用いられる移動端末は、低電力ＲＦ（Ｒａｄｉｏ  Ｆｒｅｑｕｅｎｃｙ）／ＩＦ（Ｉｎｔｅｒｍｅｄｉａｔｅ  Ｆｒｅｑｕｅｎｃｙ）モジュールを含むことができる。また、移動端末は、上述した本発明の実施例を行うためのコントローラ機能、サービス特性及び伝播環境に応じたＭＡＣ（Ｍｅｄｉｕｍ  Ａｃｃｅｓｓ  Ｃｏｎｔｒｏｌ）フレーム可変制御機能、ハンドオーバー（ＨａｎｄＯｖｅｒ）機能、認証及び暗号化機能、データ伝送のためのパケット変復調機能、高速パケットチャネルコーディング機能及び実時間モデム制御機能などを行う手段、モジュールまたは部分などを含むことができる。
【０１６２】
基地局は、上位層から受信したデータを無線または有線で移動端末に伝送することができる。基地局は、低電力ＲＦ（Ｒａｄｉｏ  Ｆｒｅｑｕｅｎｃｙ）／ＩＦ（Ｉｎｔｅｒｍｅｄｉａｔｅ  Ｆｒｅｑｕｅｎｃｙ）モジュールを含むことができる。また、基地局は、上述した本発明の実施例を行うためのコントローラ機能、直交周波数分割多重接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）パケットスケジューリング、時分割デュプレックス（ＴＤＤ：Ｔｉｍｅ  Ｄｉｖｉｓｉｏｎ  Ｄｕｐｌｅｘ）パケットスケジューリング及びチャネル多重化機能、サービス特性及び伝播環境に応じたＭＡＣフレーム可変制御機能、高速トラフィック実時間制御機能、ハンドオーバー（ＨａｎｄＯｖｅｒ）機能、認証及び暗号化機能、データ伝送のためのパケット変復調機能、高速パケットチャネルコーディング機能及び実時間モデム制御機能などを行う手段、モジュールまたは部分などを含むことができる。
【０１６３】
以下では、本発明の他の実施例において使用可能な位置更新手順について詳細に説明する。
【０１６４】
図１５は、本発明の一実施例による、二段階（ｔｗｏ  ｓｔｅｐ）ページングを行う方法を示す図である。
【０１６５】
図１５は、本発明の一実施例による、移動端末（ＡＭＳ）がマクロ基地局に進入する動作を示す。また、マクロ基地局は、移動端末の属している閉加入者グループ（ＣＳＧ）を支援するＣＳＧフェムト基地局を含んでいるとする。
【０１６６】
図１５で、基地局またはページング制御機は、二段階ページングを行うことができる。
【０１６７】
例えば、マクロ基地局がＣＳＧフェムト基地局を含んでいる場合、ページング制御機は、ＣＳＧフェムト基地局及びマクロ基地局にページングメッセージを伝送することができる。この時、ページング制御機は、ＣＳＧフェムト基地局以外の他のフェムト基地局及びＣＳＧフェムト基地局を含まないマクロ基地局には、ページングメッセージを伝送しなくて済む。したがって、ネットワークに加えられるページングメッセージオーバーヘッドを效果的に低減することができる。以下、図１５を参照して、二段階ページングメッセージ伝送方法について詳細に説明する。
【０１６８】
移動端末は、遊休モード進入を要請するために、登録解除要請メッセージ（ＤＲＥＧ−ＲＥＱ）をマクロ基地局に伝送する（Ｓ５０１）。
【０１６９】
本発明の実施例において、ページングオフセット有効タイマー（以下、Ｐタイマー）は、選択的に使われることができる。Ｐタイマーとは、移動端末がマクロ基地局のセル領域（以下、マクロセル領域）からフェムト基地局のセル領域（以下、フェムトセル領域）へ移動したり、フェムトセル領域からマクロセル領域へ移動したりする場合、移動端末が位置更新を行わない、既に設定された時間のことをいう。本発明の実施例においていうＰタイマーという用語は、例示的なものに過ぎず、同一の機能を行うタイマーは、用語によらず、いずれも同一のタイマーを指す。
【０１７０】
すなわち、移動端末が位置更新を行うべき条件（例えば、マクロ基地局からＣＳＧフェムト基地局へ移動端末が移動）を満たしても、Ｐタイマーが駆動している時間においては位置更新を行わないことから、余分の位置更新に起因するリソース浪費を防止することができる。
【０１７１】
Ｓ５０１段階で、移動端末がＰタイマーを支援すると、Ｐタイマーパラメータを含む登録解除要請メッセージを、マクロ基地局に伝送し、Ｐタイマーを支援しないと、移動端末は、Ｐタイマーパラメータを含まない登録解除要請メッセージを、マクロ基地局に伝送することができる。本発明の実施例では、Ｐタイマーを使用するとして説明する。
【０１７２】
マクロ基地局は、Ｐタイマーパラメータ及びページング情報を含む登録解除命令（ＤＲＥＧ−ＣＭＤ）メッセージを、移動端末に伝送する（Ｓ５０２）。
【０１７３】
下記の表５は、Ｓ５０２段階で用いられるＤＲＥＧ−ＣＭＤメッセージの一例を表すものである。
【０１７４】
【表５−１】
0005205518.tif 000006
【０１７５】
【表５−２】
0005205518.tif 000007
表５を参照すると、ＤＲＥＧ−ＣＭＤメッセージには、Ｐタイマー及びページング情報が含まれることができる。ここで、ページング情報には、マクロ基地局のＰＧＩＤ、ＣＳＧフェムトセル基地局のＰＧＩＤ、ページング周期、第１ページングオフセット（例えば、フェムトセルページングオフセット）、第２ページングオフセット（例えば、マクロセルページングオフセット）、ページング聴取区間などが含まれることができる。
【０１７６】
再び図１５を参照すると、移動端末は、マクロ基地局から、自身の加入したＣＳＧフェムト基地局へ移動することができる。この場合、移動端末は、フェムト基地局に位置更新を行うために、Ｐタイマーを含むＲＮＧ−ＲＥＱメッセージを、ＣＳＧフェムト基地局に伝送することができる（Ｓ５０３）。
【０１７７】
下記の表６は、本発明の実施例において使用可能なＲＮＧ−ＲＥＱの一例を表すものである。
【０１７８】
【表６】
0005205518.tif 000008
表６を参照すると、移動端末は、Ｐタイマーを選択的に使用することができる。例えば、移動端末が自身のＣＳＧフェムトセル領域を離れた場合、Ｐタイマーを始動し、タイマーが満了した時点に、ＣＳＧフェムトセル領域へ復帰しないと、位置更新を行うことができる。もし、Ｐタイマーが０に設定されると、移動端末は、フェムトセル領域を離れても位置更新を行わず、第２ページングオフセットを用いて、マクロ基地局からページングメッセージを受信することができる。
【０１７９】
ＣＳＧフェムト基地局は、Ｐタイマーパラメータ、位置更新の結果を表す位置更新応答パラメータ、移動端末に割り当てられた新しいページング情報、ページング制御機識別子、及び遊休モードで移動端末が維持する臨時識別子（Ｔｅｍｐｏｒａｒｙ  ＩＤ）のうちの一つ以上を含むレンジング応答メッセージを、移動端末に伝送することができる（Ｓ５０４）。
【０１８０】
図１５で、移動端末は、ＣＳＧフェムトセル領域の他、マクロセル領域においてもＰタイマーを用いることができる。もし、移動端末がＰタイマーを利用する場合には、移動端末がマクロ基地局からＣＳＧフェムト基地局へ移動する場合にも、Ｐタイマー時間においては位置更新を行わない。このような場合には、Ｓ５０３段階及びＳ５０４段階は行われない。すなわち、Ｓ５０３段階及びＳ５０４段階は、Ｐタイマーを利用しないか、または、Ｐタイマーを利用する場合であっても、移動端末がフェムト基地局へ移動した後にＰタイマーが満了する場合に行うことができる。
【０１８１】
移動端末への呼（ｃａｌｌ）やダウンリンクデータがある場合に、ページング制御機（ＰＣ）は、ＣＳＧフェムト基地局にページングメッセージを伝送し（Ｓ５０５）、マクロ基地局にも同一のページングメッセージを伝送し（Ｓ５０６）、二段階ページングメッセージ伝送を行うことができる（Ｓ５０５，Ｓ５０６）。
【０１８２】
例えば、ページング制御機は、ＣＳＧフェムト基地局及びＣＳＧフェムト基地局を含むマクロ基地局に、同時にまたは順次にページングメッセージを伝送することができる。すなわち、移動端末が、ある基地局から他の基地局へ移動している状況で、ページング制御機は、移動端末が位置更新を行ったＣＳＧフェムト基地局にまずページングメッセージを伝送し、これに対する応答がない場合に、マクロ基地局にページングメッセージを伝送することができる。または、ページング制御機は、ＣＳＧフェムト基地局及びマクロ基地局にページングメッセージを同時に伝送することができる。
【０１８３】
移動端末は、同一のＣＳＧフェムトセルＰＧＩＤを持つＣＳＧフェムト基地局からページングメッセージを受信するために、登録解除命令メッセージに含まれた第１ページングオフセットが表す時点で、ページングメッセージをモニターすることができる。もし、第１ページングオフセットで、ページングメッセージを受信できなかった場合は、移動端末はも第２ページングオフセットが表す時間で、ページングメッセージをモニターすることができる。
【０１８４】
図１５及び以下に説明する本発明の実施例において、Ｐタイマーの情報は、ＤＲＥＧ−ＲＥＱ／ＣＭＤメッセージ、ＲＮＧ−ＲＥＱ／ＲＳＰメッセージ、スーパーフレームヘッダー（ＳＦＨ）または近隣基地局広告（ＮＢＲ−ＡＤＶ）メッセージを通じて、移動端末に伝送されることができる。
【０１８５】
図１６は、本発明の一実施例による、二段階ページングを行う方法を示す図である。
【０１８６】
図１６の基本仮定及び基本条件は、図１５と同一にする。ただし、図１６は、移動端末が、フェムト基地局で遊休モードに進入する場合を示す。移動端末は、遊休モードに進入するために、ＣＳＧフェムト基地局に、Ｐタイマーを含む登録解除要請（ＤＲＥＧ−ＲＥＱ）メッセージを伝送することができる（Ｓ６０１）。
【０１８７】
ＣＳＧフェムト基地局は、登録解除要請メッセージに対する応答として、Ｐタイマー及びページング情報のうち少なくとも一つを含む登録解除命令（ＤＲＥＧ−ＣＭＤ）メッセージを伝送することができる（Ｓ６０２）。
【０１８８】
下記の表７は、Ｓ６０２段階で使用されるＤＲＥＧ−ＣＭＤメッセージの一例を表すものである。
【０１８９】
【表７】
0005205518.tif 000009
表７を参照すると、ＤＲＥＧ−ＣＭＤメッセージは、Ｐタイマー及びページング情報を含むことができる。ここで、ページング情報には、マクロ基地局ページンググループ識別子（Ｍａｃｒｏ  ＢＳ  ＰＧＩＤ）、ＣＳＧフェムトセル基地局ページンググループ識別子（ＣＳＧ  Ｆｅｍｔｏｃｅｌｌ  ＢＳ  ＰＧＩＤ）、ページング周期、第１ページングオフセット（例えば、フェムトセルページングオフセット）、第２ページングオフセット（例えば、マクロセルページングオフセット）、ページング聴取区間などが含まれることができる。
【０１９０】
移動端末は、遊休モードにおいてページング領域間を移動することができる。例えば、移動端末がＣＳＧフェムトセル領域で遊休モードに進入した後に、ＣＳＧフェムトセルからマクロセル領域へ移動することができる。この場合に、移動端末は、マクロ基地局から位置更新を行うことができる。
【０１９１】
図１６で、移動端末がＰタイマーを利用する場合には、移動端末がマクロ基地局へ移動した後にも、Ｐタイマーが動作する間には位置更新を行わない。ただし、Ｐタイマーが満了した後にも、移動端末が継続してマクロセル領域に留まる場合には、マクロ基地局に位置更新を行わなければならない。
【０１９２】
そこで、移動端末は、位置更新を行うために、Ｐタイマーパラメータを含むレンジング要請（ＲＮＧ−ＲＥＱ）メッセージを、マクロ基地局に伝送することができる（Ｓ６０３）。
【０１９３】
これに対する応答として、ＣＳＧフェムト基地局は、Ｐタイマーパラメータ、位置更新の結果を表す位置更新応答パラメータ、移動端末に割り当てられた新しいページング情報、ページング制御機識別子及び遊休モードで移動端末が維持する臨時識別子（Ｔｅｍｐｏｒａｒｙ  ＩＤ）のうちの一つ以上を含むレンジング応答（ＲＮＧ−ＲＳＰ）メッセージを、移動端末に伝送することができる（Ｓ６０４）。
【０１９４】
移動端末への呼（ｃａｌｌ）やダウンリンクデータがある場合に、ページング制御機（ＰＣ）は、ＣＳＧフェムト基地局にページングメッセージを伝送することができ（Ｓ６０５）、マクロ基地局にも同一のページングメッセージを伝送することができる（Ｓ６０６）。これによって、二段階ページングメッセージ伝送を行うことができる（Ｓ６０５，Ｓ６０６）。
【０１９５】
もし、表７においてＰタイマーが０に設定された場合には、移動端末は、マクロ基地局へ移動した後にも位置更新を行わず、第２ページングオフセットの時点で、ＣＳＧフェムトセル基地局と位置更新を行うことができる。この場合には、移動端末はＳ６０３段階及びＳ６０４段階は行わない。
【０１９６】
移動端末は、同一のマクロセルページンググループ識別子を持つマクロ基地局からページングメッセージを受信するために、登録解除命令メッセージに含まれた第２ページングオフセットの時点で、ページングメッセージをモニターすることができる。ただし、移動端末は、ＣＳＧフェムトセル近傍では、第１ページングオフセットで、ＣＳＧフェムト基地局から伝送されるページングメッセージをモニターすることができる。
【０１９７】
本発明の他の実施例として、二段階ページングを行う方法について説明する。移動端末は、図１５及び図１６のように遊休モードに進入する過程において、マクロ基地局またはＣＳＧフェムト基地局から二段階ページングを行うために、移動端末が、第１ページングオフセット、第２ページングオフセット、ＣＳＧフェムトセルページング識別子及びマクロセルページング識別子を受信することができる。
【０１９８】
ただし、本発明の他の実施例は、移動端末が位置更新を行う中に、二段階ページングを行うためのパラメータを受信する場合を示す。すなわち、移動端末は、位置更新を行う時に受信するレンジング応答メッセージを通じて、二段階ページングを行うためのパラメータを受信することができる。
【０１９９】
下記の表８は、本発明の他の実施例で使用可能なレンジング応答メッセージ（ＲＮＧ−ＲＳＰ）の一例で、特に、マクロ基地局から伝送されるレンジング応答（ＲＮＧ−ＲＳＰ）メッセージの例を示す。
【０２００】
【表８−１】
0005205518.tif 000010
【０２０１】
【表８−２】
0005205518.tif 000011
表８を参照すると、ＲＮＧ−ＲＳＰメッセージは、Ｐタイマーパラメータ、位置更新の結果を表す位置更新応答パラメータ、移動端末に割り当てられた新しいページング情報、ページング制御機識別子、及び遊休モードで移動端末が維持する臨時識別子（Ｔｅｍｐｏｒａｒｙ  ＩＤ）のうち、一つ以上が含まれることができる。
【０２０２】
ここで、新しいページング情報には、マクロ基地局ページンググループ識別子（Ｍａｃｒｏ  ＢＳ  ＰＧＩＤ）、ＣＳＧフェムトセル基地局ページンググループ識別子（ＣＳＧ  Ｆｅｍｔｏｃｅｌｌ  ＢＳ  ＰＧＩＤ）、ページング周期、第１ページングオフセット（例えば、フェムトセルページングオフセット）、第２ページングオフセット（例えば、マクロセルページングオフセット）、ページング聴取区間などが含まれることができる。
【０２０３】
下記の表９は、本発明の他の実施例で使用可能なレンジング応答（ＲＮＧ−ＲＳＰ）メッセージの一例で、特に、マクロ基地局により伝送されるレンジング応答（ＲＮＧ−ＲＳＰ）メッセージを示す。
【０２０４】
【表９】
0005205518.tif 000012
表９を参照すると、ＲＮＧ−ＲＳＰメッセージは、Ｐタイマーパラメータ、位置更新の結果を表す位置更新応答パラメータ、移動端末に割り当てられた新しいページング情報、ページング制御機識別子、及び遊休モードで移動端末が維持する臨時識別子（Ｔｅｍｐｏｒａｒｙ  ＩＤ）のうちの一つ以上が含まれることができる。
【０２０５】
図１７は、本発明の一実施例による、二段階ページングが行われる様子を示す図である。
【０２０６】
図１７を参照すると、移動端末の加入したＣＳＧサービスを支援するＣＳＧホームフェムトセルは、フェムトセル＃Ａ及びフェムトセル＃Ｂであるとする。また、マクロ基地局＃１が管理するページング領域をマクロセル＃１とし、マクロ基地局＃２が管理するページング領域をマクロセル＃２とする。この場合、マクロセル＃１及び＃２のページンググループ識別子は‘０’に設定される。すなわち、マクロセル＃１及び＃２は、同一のページンググループに属しているとする。
【０２０７】
また、移動端末は、図１５または図１６に示すように、マクロセルまたはフェムトセル領域で遊休モードに進入することができ、ＤＲＥＧ−ＣＭＤメッセージ及び／またはＲＮＧ−ＲＳＰメッセージを通じて、第１ページングオフセット、第２ページングオフセット、ＣＳＧフェムトセルページンググループ識別子及びマクロセルページンググループ識別子のうちの一つ以上を受信することができる。
【０２０８】
マクロセル＃１は、フェムトセル＃Ａ、＃Ｂ、＃Ｃ及び＃Ｄを含んでおり、マクロセル＃２は、フェムトセル＃Ｄ、＃Ｅ及び＃Ｆを含んでいる。すなわち、マクロセル＃１は、ＣＳＧフェムトセルを含んでおり、マクロセル＃２は、ＣＳＧフェムトセルを含んでいない。図１７では、遊休モードで移動端末がマクロセル＃２からマクロセル＃１に移動する場合を示す。
【０２０９】
一般の場合、移動端末は、マクロセル＃２からマクロセル＃１に移動しても、ページンググループ識別子が同一であるから、位置更新を行わない。しかし、図１７では、マクロセル＃１が移動端末のＣＳＧフェムトセル＃Ａ及び＃Ｂを含んでいるから、移動端末は、マクロ基地局＃１と位置更新を行う。
【０２１０】
この時、移動端末が外部呼を受信した場合、ページング制御機は、二段階でページング公知メッセージをＣＳＧフェムト基地局及びマクロ基地局＃１に伝達することができる。例えば、ページング制御機が、移動端末を探すために、移動端末のＣＳＧフェムトセル領域にページング公知メッセージを伝達し、応答がない場合、オーバーレイマクロセル領域にページング公知メッセージを伝達することができる。
【０２１１】
したがって、ページング制御機は、移動端末を探すために、全てのマクロ基地局またはフェムト基地局にページングメッセージを伝送する必要がなく、ＣＳＧフェムト基地局及び／またはＣＳＧフェムト基地局を含むマクロ基地局（例えば、マクロ基地局＃１）にのみページングメッセージを伝送することによって、ページングメッセージによるオーバーヘッドを低減することができる。
【０２１２】
図１７に示すように、移動端末は、自身のページング周期でページングメッセージを受信するために、第１ページングオフセット及び第２ページングオフセットで、それぞれＣＳＧフェムト基地局及びマクロ基地局から伝送されるページングメッセージをモニターすることができる。
【０２１３】
図１８は、本発明の実施例が具現されうる移動端末及び基地局の構成を示す図である。
【０２１４】
図１８を参照すると、移動端末（ＡＭＳ）及び基地局（ＡＢＳ）は、情報、データ、信号及び／またはメッセージなどを送受信できるアンテナ８００，８１０、アンテナ８００，８１０を制御してメッセージを伝送する送信モジュール（Ｔｘ  ｍｏｄｕｌｅ）８４０，８５０、アンテナを制御してメッセージを受信する受信モジュール（Ｒｘ  ｍｏｄｕｌｅ）８６０，８７０、基地局との通信に関する情報を保存するメモリー８８０，８９０、及びメモリーを制御するプロセッサ８２０，８３０をそれぞれ含む。ここで、基地局はフェムト基地局またはマクロ基地局であればいい。移動端末及び基地局の構成要素について詳細に説明すると、下記の通りである。
【０２１５】
アンテナ８００，８１０は、伝送モジュール８４０，８５０で生成された信号を伝送するための伝送アンテナと、無線信号を受信して受信モジュール８６０，８７０に伝達するための受信アンテナを含む。多重アンテナ（Ｍｕｌｔｉｐｌｅ  Ｉｎｐｕｔ  Ｍｕｌｔｉｐｌｅ  Ｏｕｔｐｕｔ：ＭＩＭＯ）機能が支援される場合には、２個以上のアンテナを備えることができる。
【０２１６】
プロセッサ８２０，８３０は、通常、移動端末または基地局の全般的な動作を制御する。特に、プロセッサ８２０，８３０は、上述した本発明の実施例を行うための制御機能、サービス特性及び伝播環境に応じた様々なＭＡＣ（Ｍｅｄｉｕｍ  Ａｃｃｅｓｓ  Ｃｏｎｔｒｏｌ）フレーム可変制御機能、ハンドオーバー（ＨａｎｄＯｖｅｒ）機能、認証及び暗号化機能などを果たすことができる。また、プロセッサ８２０，８３０は、様々なメッセージの暗号化を制御できる暗号化モジュール及び様々なメッセージの送受信を制御するタイマーモジュールをそれぞれ含むことができる。
【０２１７】
伝送モジュール８４０，８５０は、プロセッサ８２０，８３０からスケジューリングされた伝送データを、所定の符号化（ｃｏｄｉｎｇ）及び変調（ｍｏｄｕｌａｔｉｏｎ）を行った後、アンテナ８００，８１０に伝達することができる。
【０２１８】
受信モジュール８６０，８７０は、アンテナ８００，８１０を介して受信されたデータを、複号（ｄｅｃｏｄｉｎｇ）及び復調（ｄｅｍｏｄｕｌａｔｉｏｎ）して、原本データとして復元し、プロセッサ８２０，８３０に伝達することができる。
【０２１９】
メモリー８８０，８９０は、プロセッサ８２０，８３０の処理及び制御のためのプログラムを格納することができ、入／出力されるデータ（移動機器の側面で、基地局から受信したアップリンクグラント（ＵＬ  ｇｒａｎｔ）、システム情報、ステーション識別子（ＳＴＩＤ）、フロー識別子（ＦＩＤ）、動作時間（Ａｃｔｉｏｎ  Ｔｉｍｅ）等）を臨時に格納することができる。
【０２２０】
また、メモリー８８０，８９０は、フラッシュメモリータイプ（ｆｌａｓｈ  ｍｅｍｏｒｙ  ｔｙｐｅ）、ハードディスクタイプ（ｈａｒｄ  ｄｉｓｋ  ｔｙｐｅ）、マルチメディアカードマイクロタイプ（ｍｕｌｔｉｍｅｄｉａ  ｃａｒｄ  ｍｉｃｒｏ  ｔｙｐｅ）、カードタイプのメモリー（例えば、ＳＤまたはＸＤメモリー）、ＲＡＭ（Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、ＲＯＭ（Ｒｅａｄ−Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＰＲＯＭ（Ｐｒｏｇｒａｍｍａｂｌｅ  Ｒｅａｄ−Ｏｎｌｙ  Ｍｅｍｏｒｙ）、磁気メモリー、磁気ディスク、光ディスクのうち、少なくとも一つのタイプの記憶媒体を含むことができる。
【０２２１】
図１８で説明した移動端末及び基地局の構成成分及び機能を用いて、上に説明した本発明の実施例を行うことができる。以下では、移動端末及び基地局の機能をより具体的に説明する。
【０２２２】
移動端末に備えられたプロセッサ８２０は、移動端末の遊休モード動作を制御することができる。すなわち、プロセッサ８２０は、遊休モード動作を開始するために、ＤＲＥＧ−ＲＥＱメッセージを生成し、伝送モジュール８４０を介して基地局に伝送することができる。また、プロセッサ８２０は、基地局からＤＲＥＧ−ＣＭＤメッセージを受信し、ＤＲＥＧ−ＣＭＤメッセージに含まれたパラメータをデコーディングして、遊休モード動作を行うことができる。
【０２２３】
移動端末のプロセッサ８２０は、遊休モードにおいて位置更新条件を満たす場合に、基地局との位置更新を制御することができる。すなわち、移動端末のプロセッサ８２０は、Ｐタイマーパラメータを含むＲＮＧ−ＲＥＱメッセージを構成して、基地局に伝送でき、基地局からＲＮＧ−ＲＳＰメッセージを受信することができる。この時、プロセッサ８２０は、ＲＮＧ−ＲＥＱメッセージに含まれたＰタイマーパラメータ及び新しいページング情報を用いて、第１ページングオフセット及び／または第２ページングオフセットで、ページングメッセージをモニタリングすることができる。
【０２２４】
基地局に備えられたプロセッサ８３０は、移動端末の遊休モード動作を支援することができる。例えば、プロセッサ８３０が移動端末からＤＲＥＧ−ＲＥＱメッセージを受信すると、基地局のプロセッサ８３０は、Ｐタイマー及びページング情報のうちの少なくとも一つを含むＤＲＥＧ−ＣＭＤメッセージを構成して、移動端末に伝送することができる。
【０２２５】
また、基地局は、移動端末の位置更新を支援することができる。例えば、基地局が移動端末からレンジング要請（ＲＮＧ−ＲＥＱ）メッセージを受信すると、基地局８３０のプロセッサは、Ｐタイマーパラメータ及び新しいページング情報のうちの少なくとも一つを含むレンジング応答（ＲＮＧ−ＲＳＰ）メッセージを移動端末に伝送することができる。この時、基地局は、オーバーレイマクロセル基地局またはフェムトセル基地局であればいい。
【０２２６】
本発明に係る実施例は、様々な手段、例えば、ハードウェア、ファームウェア（ｆｉｒｍｗａｒｅ）、ソフトウェアまたはそれらの結合などにより具現することができる。ハードウェアによる具現の場合、本発明の一実施例による位置更新方法は、一つまたはそれ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサ、コントローラ、マイクロコントローラ、マイクロプロセッサなどにより具現することができる。
【０２２７】
ファームウェアやソフトウェアによる具現の場合、本発明の一実施例による位置更新方法は、以上で説明された機能または動作を行うモジュール、手順または関数などの形態で具現することができる。ソフトウェアコードはメモリーユニットに記憶されてプロセッサにより駆動されることができる。メモリーユニットは、プロセッサの内部または外部に設けられて、公知の様々な手段によりプロセッサとデータを交換することができる。
【０２２８】
本発明は、本発明の技術的思想及び必須特徴を逸脱しない範囲で他の特定の形態に具体化可能であるということは、当業者にとっては明らかである。したがって、上記の詳細な説明は、いずれの面においても制約的に解析されてはならず、例示的なものとして考慮されなければならない。本発明の範囲は、添付した請求項の合理的な解析により決定されるべきであり、よって、本発明の等価的範囲内における変更はいずれも本発明の範囲に含まれる。
【０２２９】
また、特許請求の範囲で明示的な引用関係を有しない請求項を結合して実施例を構成したり、出願後の補正により新しい請求項として含めることができる。
【実施例】
【０２３０】
様々な実施例を、発明を実施するための形態に記載した。
【産業上の利用可能性】
【０２３１】
本発明の実施例は、次の効果を奏する。第一に、本発明の実施例は、移動端末の位置更新の回数を低減することができる。第二に、本発明の実施例は、基地局のページングメッセージ伝送によるオーバーヘッドを低減することができる。第三に、本発明の実施例は、移動端末がフェムトセルからマクロセルに移動する時、マクロセルからフェムトセルに移動する時、またはフェムトセルからフェムトセルに移動する時に、效率的に位置更新を行うことができる。
【図１】
0005205518.tif 000013
【図２】
0005205518.tif 000014
【図３】
0005205518.tif 000015
【図４】
0005205518.tif 000016
【図５】
0005205518.tif 000017
【図６】
0005205518.tif 000018
【図７】
0005205518.tif 000019
【図８】
0005205518.tif 000020
【図９】
0005205518.tif 000021
【図１０】
0005205518.tif 000022
【図１１】
0005205518.tif 000023
【図１２】
0005205518.tif 000024
【図１３】
0005205518.tif 000025
【図１４】
0005205518.tif 000026
【図１５】
0005205518.tif 000027
【図１６】
0005205518.tif 000028
【図１７】
0005205518.tif 000029
【図１８】
0005205518.tif 000030